(57)【要約】【課題】割り当てられた周波数帯域が有効に利用される場合に端末装置による測定の負荷を抑えることを可能にする。【解決手段】事業者に割り当てられた周波数帯域のうちの所定帯域幅の帯域以外の拡張帯域における端末装置による測定の実行に関連する測定関連情報を取得する取得部と、上記測定関連情報に基づいて、上記拡張帯域における端末装置による測定に関連する制御を行う制御部と、を備える通信制御装置が提供される。【選択図】図８
2014185185.tif 000002
【特許請求の範囲】
【請求項１】
事業者に割り当てられた周波数帯域のうちの所定帯域幅の帯域以外の拡張帯域における端末装置による測定の実行に関連する測定関連情報を取得する取得部と、
前記測定関連情報に基づいて、前記拡張帯域における端末装置による測定に関連する制御を行う制御部と、
を備える通信制御装置。
【請求項２】
前記測定関連情報は、前記拡張帯域における端末装置による測定の実行の有無に関する情報であり、
端末装置による測定に関連する前記制御は、前記拡張帯域における端末装置による測定の実行の制御を含む、
請求項１に記載の通信制御装置。
【請求項３】
端末装置による測定の実行の前記制御は、前記拡張帯域において測定を行うこと又は測定を行わないことを、端末装置に指示することを含む、請求項２に記載の通信制御装置。
【請求項４】
端末装置による測定の実行の前記制御は、前記周波数帯域を通信に使用している端末装置が前記拡張帯域において測定を行わないように、前記拡張帯域において測定を行うこと、又は行わないことを、端末装置に指示することを含む、請求項３に記載の通信制御装置。
【請求項５】
前記取得部は、前記所定帯域幅の前記帯域における端末装置による測定の結果である第１の測定結果と、前記拡張帯域における端末装置による測定の結果である第２の測定結果とを、それぞれ取得する、請求項１に記載の通信制御装置。
【請求項６】
前記第１の測定結果は、前記所定帯域幅の前記帯域における第１の期間にわたる測定により得られる結果であり、
前記第２の測定結果は、前記拡張帯域における第２の期間にわたる測定により得られる結果であり、
前記第２の期間は、前記第１の期間よりも長い、
請求項５に記載の通信制御装置。
【請求項７】
前記第２の測定結果の報告が行われる条件は、前記第１の測定結果の報告が行われる条件とは異なる、請求項５に記載の通信制御装置。
【請求項８】
前記第１の測定結果の報告は、１種類以上のイベントの各々によりトリガされる報告であり、
前記第２の測定結果の報告は、前記１種類以上のイベントに含まれない別の種類のイベントを含む少なくとも１種類のイベントの各々によりトリガされる報告である、
請求項７に記載の通信制御装置。
【請求項９】
前記別の種類のイベントは、前記第１の測定結果と前記第２の測定結果との関係が所定の条件を満たすことである、請求項８に記載の通信制御装置。
【請求項１０】
前記第１の測定結果の報告及び前記第２の測定結果の報告は、少なくとも１つの同じ種類のイベントによりトリガされる報告であり、
前記少なくとも１つの同じ種類のイベントのうちの一部又は全部は、前記第１の測定結果の報告のための第１の閾値と、前記第２の測定結果の報告のための第２の閾値とを有する、
請求項７に記載の通信制御装置。
【請求項１１】
前記第１の測定結果の報告は、第１の周期で行われる報告であり、
前記第２の測定結果の報告は、前記第１の周期と異なる第２の周期で行われる報告である、
請求項７に記載の通信制御装置。
【請求項１２】
前記測定関連情報は、端末装置による測定に用いられる制御信号の送信に関する設定情報であり、
端末装置による測定に関連する前記制御は、前記拡張帯域における前記制御信号の送信の制御を含む、
請求項１に記載の通信制御装置。
【請求項１３】
前記制御信号の送信の前記制御は、前記拡張帯域において送信される前記制御信号の密度が、前記所定帯域幅の前記帯域において送信される前記制御信号の密度と異なるように、前記制御信号の送信を制御することを含む、請求項１２に記載の通信制御装置。
【請求項１４】
前記制御信号の送信の前記制御は、前記拡張帯域において送信される前記制御信号の密度が、前記所定帯域幅の前記帯域において送信される前記制御信号の密度よりも低くなるように、前記制御信号の送信を制御することを含む、請求項１３に記載の通信制御装置。
【請求項１５】
前記制御信号の送信の前記制御は、前記所定帯域幅の前記帯域において前記制御信号が送信されるアンテナポートの数よりも小さい数のアンテナポートで、前記拡張帯域において前記制御信号が送信されるように、前記制御信号の送信を制御することを含む、請求項１４に記載の通信制御装置。
【請求項１６】
前記制御信号の送信の前記制御は、前記拡張帯域において前記制御信号が送信されないように、前記制御信号の送信を制御することを含む、請求項１４に記載の通信制御装置。
【請求項１７】
事業者に割り当てられた周波数帯域のうちの所定帯域幅の帯域以外の拡張帯域における端末装置による測定の実行に関連する測定関連情報を取得することと、
前記測定関連情報に基づいて、前記拡張帯域における端末装置による測定に関連する制御を行うことと、
を含む通信制御方法。
【請求項１８】
事業者に割り当てられた周波数帯域のうちの所定帯域幅の帯域以外の拡張帯域を認識する認識部と、
前記拡張帯域における測定の一部又は全部が行われないように、測定の実行を制御する制御部と、
を備える端末装置。
【請求項１９】
前記制御部は、前記端末装置が無線リソースについてのアイドル状態にある場合に、前記拡張帯域における測定が行われないように、測定の実行を制御する、請求項１８に記載の端末装置。
【請求項２０】
所定のプログラムを記憶するメモリと、
前記所定のプログラムを実行可能なプロセッサと、
を備え、
前記所定のプログラムは、
事業者に割り当てられた周波数帯域のうちの所定帯域幅の帯域以外の拡張帯域を認識することと、
前記拡張帯域における測定の一部又は全部が行われないように、測定の実行を制御することと、
を実行させるためのプログラムである、
情報処理装置。
【発明の詳細な説明】
【技術分野】
【０００１】
本開示は、通信制御装置、通信制御方法、端末装置及び情報処理装置に関する。
【背景技術】
【０００２】
現在、３ＧＰＰ（Third  Generation  Partnership  Project）においてＬＴＥ（Long  Term  Evolution）及びＬＴＥ−Ａ（Advanced）に関する規格化が進められている。例えば、ＬＴＥ及びＬＴＥ−Ａのチャネル帯域幅として、１．４ＭＨｚ、３ＭＨｚ、５ＭＨｚ、１０ＭＨｚ、１５ＭＨｚ及び２０ＭＨｚの６種類の帯域幅が規定されている。【０００３】
一方、各国において割り当てられた移動体通信向けの帯域は、上述した帯域幅を有する帯域であるとは限らない。そのため、割り当てられた帯域の一部が余ってしまう可能性がある。このような、割り当てられた周波数帯域のうちの所定帯域幅の帯域以外の余りの帯域も、有効に利用されることが望ましい。これらの点は、非特許文献１において示されている。【０００４】
また、特許文献１には、端末装置が、コンポーネントキャリアのみではなく、当該コンポーネントキャリアに隣接する他のコンポーネントキャリアとの間の帯域においても、無線通信を行うことが、開示されている。
【先行技術文献】
【特許文献】
【０００５】
【特許文献１】特開２０１０−２１９７９３号公報
【非特許文献】
【０００６】
【非特許文献１】“NCT  and  Band  Filling”，3GPP  TSG  RAN  WG1  Meeting  #71，  New  Orleans，  USA，  R1-125347，  12-16  November  2012
【発明の概要】
【発明が解決しようとする課題】
【０００７】
事業者に割り当てられた周波数帯域のうちの所定帯域幅の帯域以外の余りの帯域においても端末装置が無線通信を行う場合には、当該余りの帯域も使用される帯域である以上、端末装置が当該余りの帯域においても測定（measurement）を行うことが考えられる。しかし、その場合に、端末装置は、所定帯域幅の帯域及び余りの帯域（即ち、より広い帯域）において測定（measurement）を行うことになる。その結果、端末装置にとっての測定の負荷が増加し得る。【０００８】
そこで、割り当てられた周波数帯域が有効に利用される場合に端末装置による測定の負荷を抑えることを可能にする仕組みが提供されることが望ましい。
【課題を解決するための手段】
【０００９】
本開示によれば、事業者に割り当てられた周波数帯域のうちの所定帯域幅の帯域以外の拡張帯域における端末装置による測定の実行に関連する測定関連情報を取得する取得部と、上記測定関連情報に基づいて、上記拡張帯域における端末装置による測定に関連する制御を行う制御部と、を備える通信制御装置が提供される。【００１０】
また、本開示によれば、事業者に割り当てられた周波数帯域のうちの所定帯域幅の帯域以外の拡張帯域における端末装置による測定の実行に関連する測定関連情報を取得することと、上記測定関連情報に基づいて、上記拡張帯域における端末装置による測定に関連する制御を行うことと、を含む通信制御方法が提供される。【００１１】
また、本開示によれば、事業者に割り当てられた周波数帯域のうちの所定帯域幅の帯域以外の拡張帯域を認識する認識部と、上記拡張帯域における測定の一部又は全部が行われないように、測定の実行を制御する制御部と、を備える端末装置が提供される。【００１２】
本開示によれば、所定のプログラムを記憶するメモリと、上記所定のプログラムを実行可能なプロセッサと、を備える情報処理装置が提供される。上記所定のプログラムは、事業者に割り当てられた周波数帯域のうちの所定帯域幅の帯域以外の拡張帯域を認識することと、上記拡張帯域における測定の一部又は全部が行われないように、測定の実行を制御することと、を実行させるためのプログラムである。
【発明の効果】
【００１３】
以上説明したように本開示によれば、割り当てられた周波数帯域が有効に利用される場合に端末装置による測定の負荷を抑えることが可能となる。
【図面の簡単な説明】
【００１４】
【図１】各ＵＥのＰＣＣの一例を説明するための説明図である。
【図２】拡張帯域の一例を説明するための説明図である。
【図３】各アンテナポートのＣＲＳの例を説明するための説明図である。
【図４】測定からハンドオーバの決定までの処理の一例を示すシーケンス図である。
【図５】本開示の実施形態に係る通信システムの概略的な構成の一例を示す説明図である。
【図６】第１の実施形態に係るｅＮｏｄｅＢの構成の一例を示すブロック図である。
【図７】第１の実施形態に係るＵＥの構成の一例を示すブロック図である。
【図８】第１の実施形態に係るｅＮｏｄｅＢ側の通信制御処理の概略的な流れの一例を示すフローチャートである。
【図９】第１の実施形態に係るＵＥ側の通信制御処理の概略的な流れの一例を示すフローチャートである。
【図１０】第１の実施形態の変形例に係るｅＮｏｄｅＢ側の通信制御処理の概略的な流れの一例を示すフローチャートである。
【図１１】第１の実施形態の１の変形例に係るＵＥ側の通信制御処理の概略的な流れの一例を示すフローチャートである。
【図１２】第２の実施形態に係るＵＥの構成の一例を示すブロック図である。
【図１３】第２の実施形態に係るＵＥ側の通信制御処理の概略的な流れの一例を示すフローチャートである。
【図１４】第３の実施形態に係るｅＮｏｄｅＢの構成の一例を示すブロック図である。
【図１５】第３の実施形態に係るＵＥの構成の一例を示すブロック図である。
【図１６】コンポーネントキャリア（ＣＣ）及び拡張帯域の各々における測定の期間の一例を説明するための説明図である。
【図１７】拡張帯域における測定の結果（第２の測定結果）の報告をトリガする別の種類のイベントの第１の例を説明するための説明図である。
【図１８】第２の測定結果（拡張帯域における測定の結果）の報告をトリガする別の種類のイベントの第２の例を説明するための説明図である。
【図１９】第３の実施形態に係るｅＮｏｄｅＢ側の通信制御処理の概略的な流れの一例を示すフローチャートである。
【図２０】第３の実施形態に係るＵＥ側の第１の通信制御処理の概略的な流れの一例を示すフローチャートである。
【図２１】第３の実施形態に係るＵＥ側の第２の通信制御処理の概略的な流れの一例を示すフローチャートである。
【図２２】第３の実施形態の変形例に係るｅＮｏｄｅＢ側の第１の通信制御処理の概略的な流れの一例を示すフローチャートである。
【図２３】第３の実施形態の変形例に係るｅＮｏｄｅＢ側の第２の通信制御処理の概略的な流れの一例を示すフローチャートである。
【図２４】第３の実施形態の変形例に係るＵＥ側の通信制御処理の概略的な流れの一例を示すフローチャートである。
【図２５】第３の実施形態の変形例に係るＵＥ側の第２の測定報告処理の概略的な流れの一例を示すフローチャートである。
【図２６】第４の実施形態に係るｅＮｏｄｅＢの構成の一例を示すブロック図である。
【図２７】各帯域において制御信号を送信するアンテナポートの例を説明するための説明図である。
【図２８】第４の実施形態に係るＵＥの構成の一例を示すブロック図である。
【図２９】第４の実施形態に係るｅＮｏｄｅＢ側の第１の通信制御処理の概略的な流れの一例を示すフローチャートである。
【図３０】第４の実施形態に係るｅＮｏｄｅＢ側の第２の通信制御処理の概略的な流れの一例を示すフローチャートである。
【図３１】第４の実施形態に係るＵＥ側の通信制御処理の概略的な流れの一例を示すフローチャートである。
【図３２】第４の実施形態の変形例に係るｅＮｏｄｅＢ側の第１の通信制御処理の概略的な流れの一例を示すフローチャートである。
【図３３】第４の実施形態の変形例に係るｅＮｏｄｅＢ側の第２の通信制御処理の概略的な流れの一例を示すフローチャートである。
【図３４】第４の実施形態の変形例に係るＵＥ側の通信制御処理の概略的な流れの一例を示すフローチャートである。
【図３５】ｅＮＢの概略的な構成の第１の例を示すブロック図である。
【図３６】ｅＮＢの概略的な構成の第２の例を示すブロック図である。
【図３７】スマートフォンの概略的な構成の一例を示すブロック図である。
【図３８】カーナビゲーション装置の概略的な構成の一例を示すブロック図である。
【発明を実施するための形態】
【００１５】
以下に添付の図面を参照しながら、本開示の好適な実施の形態について詳細に説明する。なお、本明細書及び図面において、実質的に同一の機能構成を有する構成要素については、同一の符号を付することにより重複説明を省略する。
【００１６】
なお、説明は以下の順序で行うものとする。
１．はじめに
２．本開示の実施形態に係る通信システムの概略的な構成
３．第１の実施形態
３．１．ｅＮｏｄｅＢの構成
３．２．ＵＥの構成
３．３．処理の流れ
３．４．変形例
４．第２の実施形態
４．１．ＵＥの構成
４．２．処理の流れ
５．第３の実施形態
５．１．ｅＮｏｄｅＢの構成
５．２．ＵＥの構成
５．３．処理の流れ
５．４．変形例
６．第４の実施形態
６．１．ｅＮｏｄｅＢの構成
６．２．ＵＥの構成
６．３．処理の流れ
６．４．変形例
７．応用例
６．１．ｅＮｏｄｅＢに関する応用例
６．２．ＵＥに関する応用例
８．まとめ
【００１７】
＜＜＜１．はじめに＞＞＞
まず、図１〜図４を参照して、キャリアアグリゲーション、拡張帯域（Extension  Band）及び測定（measurement）を説明する。
【００１８】
（キャリアアグリゲーション）
−コンポーネントキャリア
リリース１０のキャリアアグリゲーションでは、最大で５つのコンポーネントキャリア（ＣＣ）が束ねられて、ＵＥ（User  Equipment）により使用される。各ＣＣは、最大２０ＭＨｚ幅の帯域である。キャリアアグリゲーションでは、周波数方向で連続するＣＣが使用される場合と、周波数方向で離れたＣＣが使用される場合とがある。キャリアアグリゲーションでは、使用されるＣＣをＵＥ毎に決定することが可能である。
【００１９】
−プリマリＣＣとセカンダリＣＣ
キャリアアグリゲーションでは、ＵＥにより使用される複数のＣＣのうちの１つが特別なＣＣである。当該１つの特別なＣＣは、ＰＣＣ（Primary  Component  Carrier）と呼ばれる。また、上記複数のＣＣのうちの残りは、ＳＣＣ（Secondary  Component  Carrier）と呼ばれる。ＰＣＣは、ＵＥによって異なり得る。以下、この点について図１を参照してより具体的に説明する。
【００２０】
図１は、各ＵＥのＰＣＣの一例を説明するための説明図である。図１を参照すると、ＵＥ２０Ａ及びＵＥ２０Ｂ、並びに５つのＣＣ１〜５が示されている。この例では、ＵＥ２０Ａは、ＣＣ１及びＣＣ２という２つのＣＣを使用している。そして、ＵＥ２０Ａは、ＣＣ２をＰＣＣとして使用している。一方、ＵＥ２０Ｂは、ＣＣ２及びＣＣ４という２つのＣＣを使用している。そして、ＵＥ２０Ｂは、ＣＣ４をＰＣＣとして使用している。このように、各ＵＥは、異なるＣＣをＰＣＣとして使用し得る。
【００２１】
ＰＣＣは、複数のＣＣの中で最も重要なＣＣであるので、通信品質が最も安定しているＣＣであることが望ましい。なお、どのＣＣをＰＣＣとするかは、実際には、どのように実装するかに依存する。
【００２２】
ＵＥが最初に接続を確立するＣＣが、当該ＵＥにとってのＰＣＣである。ＳＣＣは、ＰＣＣに追加される。即ち、ＰＣＣは、主要な周波数帯域であり、ＳＣＣは、補助的な周波数帯域である。ＳＣＣの変更は、既存のＳＣＣの削除と新たなＳＣＣの追加により行われる。ＰＣＣの変更は、従来の周波数間ハンドオーバの手順で行われる。キャリアアグリゲーションでは、ＵＥは、ＳＣＣのみを使用することはできず、必ず１つのＰＣＣを使用する。
【００２３】
なお、ＰＣＣは、プライマリセル（Primary  Cell）と呼ばれることもある。また、ＳＣＣは、セカンダリセル（Secondary  Cell）と呼ばれることもある。
【００２４】
−各ＣＣにおけるＣＲＳ
キャリアアグリゲーションでは、各ＣＣで共通リファレンス信号（Common  Reference  Signal：ＣＲＳ）が送信される。なお、共通リファレンス信号は、セル固有のリファレンス信号（Cell-specific  Reference  Signal）とも呼ばれる。
【００２５】
（拡張帯域）
ＬＴＥ及びＬＴＥ−Ａのチャネル帯域幅として、１．４ＭＨｚ、３ＭＨｚ、５ＭＨｚ、１０ＭＨｚ、１５ＭＨｚ及び２０ＭＨｚの６種類の帯域幅が規定されている。即ち、コンポーネントキャリア（ＣＣ）の帯域幅は、６種類の帯域幅の中から選択される。
【００２６】
一方、各国で事業者に割り当てられた周波数帯域の帯域幅は、上記６種類の帯域幅とは異なることが多い。例えば、ドイツでは、３．８ＭＨｚ又は７．２ＭＨｚの帯域が割り当てられている。また、イタリアでは、１１．８ＭＨｚ又は１２．４ＭＨｚの帯域が割り当てられている。また、スロバキアでは、６ＭＨｚ又は７ＭＨｚの帯域が割り当てられている。
【００２７】
このように、割り当てられた周波数帯域の帯域幅と、通信規格の所定帯域幅（即ち、ＣＣ）とが異なるので、割り当てられた周波数帯域のうちの所定帯域幅以外の帯域が余ってしまう。本明細書では、当該余りの帯域の全部又は一部を拡張帯域（Extension  Band）と呼ぶ。このような拡張帯域を有効に利用することが、通信業界において求められている。なお、この点は、非特許文献「“NCT  and  Band  Filling”，3GPP  TSG  RAN  WG1  Meeting  #71，  New  Orleans，  USA，  R1-125347，  12-16  November  2012」において示されている。以下、図２を参照して、拡張帯域の具体例を説明する。
【００２８】
図２は、拡張帯域の一例を説明するための説明図である。図２を参照すると、事業者に割り当てられた６ＭＨｚの周波数帯域が示されている。当該周波数帯域のうちの５ＭＨｚの帯域が、ＣＣとして利用される。この場合に、６ＭＨｚの上記当該周波数帯域のうちの、５ＭＨｚのＣＣ以外の帯域が、拡張帯域である。この例では、０．５ＭＨｚの２つの帯域が、拡張帯域である。
【００２９】
なお、拡張帯域の帯域幅は、１．４ＭＨｚ未満である場合もある。そのため、拡張帯域を個別のＣＣとして取り扱うことは望ましくないと考えられる。よって、拡張帯域は、ＣＣに付随する帯域として取り扱われることが望ましいと考えられる。
【００３０】
（測定）
測定（measurement）とは、伝送路の品質を測定することを示す。測定は、ＵＥにより行われる。そして、当該測定の結果は、ＵＥによりｅＮｏｄｅＢ（Evolved  Node  B）に報告される。
【００３１】
−測定対象
測定対象として３種類の周波数帯域がある。第１に、サービングセルで使用している周波数帯域が測定対象である。即ち、ＵＥが接続中のｅＮｏｄｅＢとの無線通信に使用している周波数帯域である。キャリアアグリゲーションの場合には、ＰＣＣ及びＳＣＣが測定対象である。また、第２に、ｅＮｏｄｅＢにより送信されるシステム情報（System  Information）に含まれるホワイトリストの中にある周波数帯域が、測定対象の周波数帯域である。また、第３に、ＵＥが検出した周波数帯域が、測定対象の周波数帯域である。
【００３２】
−ＲＳＲＰ及びＣＲＳ
ダウンリンクの代表的な測定結果は、ＲＳＲＰ（Reference  Signal  Received  Power）及びＲＳＲＱ（Reference  Signal  Received  Quality）である。ＲＳＲＰ及びＲＳＲＱは、ＣＲＳ（Cell  Specific  Reference  Symbol）を用いた測定により得られる値である。
【００３３】
ＲＳＲＰは、ＣＲＳの電力を測定した結果である。ＣＲＳはセル毎に固有の信号であるので、ＣＲＳを用いることにより、干渉成分が排除された受信電力が測定される。また、フェージングの影響を排除するために、ＲＳＲＰは、ある期間にわたって平均化される。信頼性の高い結果を得るために、ある期間にわたってＣＲＳの受信電力の平均化が行われるので、ＵＥにおいて、多大な計算コスト及び消費電力が必要になり得る。測定はＵＥに大きな負荷がかかる処理であると言える。そのため、余計な測定を減らすことができれば、ＵＥの計算コスト及び消費電力を減らすことができる。
【００３４】
ＲＳＲＱは、ＲＳＲＰ及びＲＳＳＩ（Received  Signal  Strength  Indicator）から算出される。通常、ＵＥは、ＲＳＲＰ及びＲＳＲＱの両方を報告する。
【００３５】
−ＣＲＳ及びアンテナポート
ＣＲＳは、アンテナポートごとに送信可能である。具体的には、最大４つのアンテナポートの各々についてのＣＲＳが送信され得る。この場合に、ＣＲＳは、アンテナポートに応じた位置（即ち、リソースエレメント）で送信される。以下、この点について、図３を参照して具体例を説明する。
【００３６】
図３は、各アンテナポートのＣＲＳの例を説明するための説明図である。図３を参照すると、４つのアンテナポート（アンテナポート０〜３）の各々に対応するリソースブロックが示されている。例えば、各アンテナポートポートに対応するリソースブロック４０のうちのリソースエレメント４１で、ＣＲＳが送信される。また、リソースエレメント４３は、他のアンテナポートのＣＲＳを保護するためのＤＴＸ（Discontinuous  Transmission）リソースエレメントである。また、リソースエレメント４５は、ＣＲＳ以外の制御信号又はデータ信号のためのリソースエレメントである。このように、アンテナポートごとに別々のリソースエレメントでＣＲＳが送信される。
【００３７】
このようなアンテナポートごとのＣＲＳをＵＥが受信することにより、仮想的な４本のアンテナとＵＥとの間のチャネルレスポンスが得られる。仮に、ＵＥが２本のアンテナを有している場合は、４×２の行列サイズのチャネルレスポンスが得られる。ＣＲＳにはビームフォーミング用の重み係数が送信側で乗算されないので、純粋なチャネルレスポンスが得られ得る。
【００３８】
なお、図３に示されるように、アンテナポートごとのＣＲＳが送信される場合に、アンテナポートの増加に伴いＣＲＳの数も増加する。その結果、オーバーヘッドが増大する。
【００３９】
−ＣＲＳの使用目的
ＣＲＳは、リリース８から存在し、様々な目的で用いられる。第１に、上述したように、ＣＲＳは、測定に用いられる。また、第２に、上述したように、ＣＲＳは、チャネル情報を得るために用いられる。さらに、第３に、ＣＲＳは、ＣＱＩ（Chanel  Quality  Indicator）のｅＮｏｄｅＢへのフィードバックのためにも用いられる。また、第４に、送信ダイバーシティ（Transmit  Diversity）にも用いられる。
【００４０】
なお、リリース１０及びリリース１１では、チャネル情報を得るために、ＣＳＩ−ＲＳ（Channel  State  Information  Reference  Signal）が用いられる。また、復号のために、ＤＭＲＳ（Demodulation  Reference  Signal）が用いられる。しかしながら、ＣＲＳは、測定のための重要なリファレンス信号（Reference  Signal：ＲＳ）である。
【００４１】
−測定結果の使用目的
ＲＳＲＰ及びＲＳＳＱは、セルの選択（Cell  Selection）、セルの再選択（Cell  Reselection）、及びハンドオーバのために使用される。
【００４２】
−−ＲＲＣ接続（RRC_Connected）状態の場合
例えば、ＵＥがＲＲＣ接続状態である場合に、ＵＥにより報告される測定結果は、例えば、ハンドオーバの決定のために利用される。即ち、ｅＮｏｄｅＢは、ＵＥにより報告される測定結果に基づいて、ハンドオーバの決定を行う。以下、この点について、図４を参照して説明する。
【００４３】
図４は、測定からハンドオーバの決定までの処理の一例を示すシーケンス図である。図４を参照すると、まず、ＵＥが測定を行う（Ｓ３１）。そして、当該測定の結果から、報告のためにいずれかのイベントが発生する（Ｓ３３）。そして、当該イベントが、ＵＥによる測定結果の報告をトリガし、ＵＥは、測定結果を報告する（Ｓ３５）。その後、ｅＮｏｄｅＢは、報告された測定結果に基づいて、ハンドオーバを行うか否かを判定し、例えば、ハンドオーバの決定を行う（Ｓ３７）。一例として、ｅＮｏｄｅＢは、測定結果に基づいて、あるセルから別のセルへのＵＥのハンドオーバを決定する。例えば、最も高いＲＳＲＰを伴うセルへのハンドオーバが決定される。
【００４４】
−−ＲＲＣアイドル（RRC_Idle）状態の場合
また、例えば、ＵＥがＲＲＣアイドル状態である場合に、ＵＥにより報告される測定結果は、例えば、セルの選択のために利用される。即ち、ＵＥは、ＲＲＣ（Radio  Resource  Control）アイドル状態である場合にも測定を行う。これにより、ＵＥは、ページングチャネルでの情報の受信のために最適なセル又はｅＮｏｄｅＢを選択し、ランダムアクセスを行う際の最適なセル又はｅＮｏｄｅＢを選択することが可能になる。
【００４５】
−報告イベント
所定のイベントが、ＵＥによる測定結果の報告をトリガする。即ち、所定のイベントが発生すると（所定のイベントの条件が満たされると）、ＵＥは、測定結果をｅＮｏｄｅＢに報告する。リリース８では、上記所定のイベントとして、イベントＡ１〜Ａ５の５種類のイベントが定められている。また、上記所定のイベントとして、キャリアアグリゲーション用のイベントＡ６が定められている。
【００４６】
例えば、イベントＡ１の条件は、サービングセルの品質（例えば、ＲＳＲＰ又はＲＳＲＱ）が閾値よりも良くなることである。また、イベントＡ２の条件は、サービングセルの品質が閾値よりも悪くなることである。また、イベントＡ３の条件は、隣接セルの品質がサービングセルの品質よりも閾値だけよくなることである。また、イベントＡ４の条件は、隣接セルの品質が閾値よりもよくなることである。また、イベントＡ５の条件は、サービングセルの品質が第１の閾値より悪くなり、且つ隣接セルの品質が第２の閾値よりもよくなることである。
【００４７】
＜＜＜２．本開示の実施形態に係る通信システムの概略的な構成＞＞＞
続いて、図５を参照して、本開示の実施形態に係る通信システム１の概略的な構成を説明する。図５は、本開示の実施形態に係る通信システム１の概略的な構成の一例を示す説明図である。図５を参照すると、通信システム１は、ｅＮｏｄｅＢ１００、ＵＥ２０及びＵＥ２００を含む。この例では、通信システム１は、ＬＴＥ、ＬＴＥ−Ａ又はこれに準ずる通信規格に準拠したシステムである。
【００４８】
（ｅＮｏｄｅＢ１００）
ｅＮｏｄｅＢ１００は、事業者に割り当てられた周波数帯域において無線通信を行う。
【００４９】
上記周波数帯域は、所定帯域幅の帯域を含み、ｅＮｏｄｅＢ１００は、当該所定帯域幅の帯域において無線通信を行う。例えば、上記所定帯域幅は、通信規格において定められた帯域幅である。より具体的に、例えば、上記所定帯域幅は、３ＧＰＰの規格において定められた帯域幅であり、上記所定帯域幅の帯域は、コンポーネントキャリア（ＣＣ）である。
【００５０】
また、とりわけ本開示の実施形態では、ｅＮｏｄｅＢ１００は、事業者に割り当てられた周波数帯域のうちのＣＣ以外の拡張帯域においても、無線通信を行う。
【００５１】
また、ｅＮｏｄｅＢ１００は、セル１０内に位置するＵＥとの無線通信を行う。例えば、ＵＥ２０は、上記拡張帯域を利用するケイパビリティを有しないＵＥであり、ＵＥ２００は、上記拡張帯域を利用するケイパビリティを有するＵＥである。そして、ｅＮｏｄｅＢ１００は、ＣＣにおいて、ＵＥ２０及びＵＥ２００との無線通信を行う。また、ｅＮｏｄｅＢ１００は、上記拡張帯域において、ＵＥ２００との無線通信を行う。
【００５２】
（ＵＥ２０）
ＵＥ２０は、セル１０に位置する場合に、ｅＮｏｄｅＢ１００との無線通信を行う。
【００５３】
また、ＵＥ２０は、上記拡張帯域を利用するケイパビリティを有さず、事業者に割り当てられた周波数帯域のうちのＣＣにおいてｅＮｏｄｅＢ１００との無線通信を行う。
【００５４】
なお、本明細書では、ＵＥ２０は、レガシー端末とも呼ばれる。
【００５５】
（ＵＥ２００）
ＵＥ２００は、セル１０に位置する場合に、ｅＮｏｄｅＢ１００との無線通信を行う。
【００５６】
また、ＵＥ２００は、上記拡張帯域を利用するケイパビリティを有し、ＣＣ及び拡張帯域においてｅＮｏｄｅＢ１００との無線通信を行う。
【００５７】
＜＜＜３．第１の実施形態＞＞＞
続いて、図６〜図１１を参照して、本開示の第１の実施形態を説明する。
【００５８】
上述したように、事業者に割り当てられた周波数帯域のうちのコンポーネントキャリア（ＣＣ）以外の拡張帯域においてもＵＥが無線通信を行う場合には、当該拡張帯域も使用される帯域である以上、ＵＥが当該拡張帯域においても測定（measurement）を行うことが考えられる。しかし、その場合に、ＵＥは、ＣＣ及び拡張帯域（即ち、より広い帯域）において測定を行うことになる。その結果、ＵＥにとっての測定の負荷が増加し得る。
【００５９】
そこで、本開示の第１の実施形態では、割り当てられた周波数帯域が有効に利用される場合（即ち、拡張帯域も利用される場合）にＵＥによる測定の負荷を抑えることが可能になる。具体的には、第１の実施形態では、拡張帯域におけるＵＥによる測定の実行が制御される。
【００６０】
＜＜３．１．ｅＮｏｄｅＢの構成＞＞
まず、図６を参照して、第１の実施形態に係るｅＮｏｄｅＢ１００−１の構成を説明する。図６は、第１の実施形態に係るｅＮｏｄｅＢ１００−１の構成の一例を示すブロック図である。図６を参照すると、ｅＮｏｄｅＢ１００−１は、アンテナ部１１０、無線通信部１２０、ネットワーク通信部１３０、記憶部１４０及び処理部１５０を含む。
【００６１】
（アンテナ部１１０）
アンテナ部１１０は、無線信号を受信し、受信された無線信号を無線通信部１２０へ出力する。また、アンテナ部１１０は、無線通信部１２０により出力された送信信号を送信する。
【００６２】
（無線通信部１２０）
無線通信部１２０は、事業者に割り当てられた周波数帯域において無線通信を行う。
【００６３】
上述したように、上記周波数帯域は、所定帯域幅の帯域を含み、無線通信部１２０は、当該所定帯域幅の帯域において無線通信を行う。例えば、上記所定帯域幅は、３ＧＰＰの規格において定められた帯域幅であり、上記所定帯域幅の帯域は、ＣＣである。
【００６４】
また、とりわけ本開示の実施形態では、無線通信部１２０は、事業者に割り当てられた周波数帯域のうちのＣＣ以外の拡張帯域においても、無線通信を行う。
【００６５】
また、無線通信部１２０は、セル１０内に位置するＵＥとの無線通信を行う。例えば、ｅＮｏｄｅＢ１００は、ＣＣにおいて、ＵＥ２０及びＵＥ２００との無線通信を行う。また、ｅＮｏｄｅＢ１００は、上記拡張帯域において、ＵＥ２００との無線通信を行う。
【００６６】
（ネットワーク通信部１３０）
ネットワーク通信部１３０は、他の通信ノードと通信する。例えば、ネットワーク通信部１３０は、他のｅＮｏｄｅＢ１００と通信する。また、例えば、ネットワーク通信部１３０は、コアネットワークの通信ノードと通信する。例えば、当該コアネットワークは、ＥＰＣ（Evolved  Packet  Core）であり、当該通信ノードは、ＭＭＥ（Mobility  Management  Entity）、Ｓ−ＧＷ（Serving  Gateway）等を含む。
【００６７】
（記憶部１４０）
記憶部１４０は、ｅＮｏｄｅＢ１００の動作のためのプログラム及びデータを記憶する。
【００６８】
（処理部１５０）
処理部１５０は、ｅＮｏｄｅＢ１００−１の様々な機能を提供する。処理部１５０は、情報取得部１５１及び通信制御部１５３を含む。
【００６９】
（情報取得部１５１）
情報取得部１５１は、事業者に割り当てられた周波数帯域のうちのコンポーネントキャリア（所定帯域幅の帯域）以外の拡張帯域におけるＵＥによる測定の実行に関連する測定関連情報を取得する。
【００７０】
とりわけ第１の実施形態では、上記測定関連情報は、上記拡張帯域におけるＵＥによる測定の実行の有無に関する情報である。
【００７１】
例えば、上記測定関連情報は、セル１０内で上記拡張帯域における測定を行うことに対応する第１の情報、及びセル１０内で上記拡張帯域における測定を行わないことに対応する第２の情報のうちのいずれかである。
【００７２】
第１の例として、上記測定関連情報は、ｅＮｏｄｅＢ１００−１の設定情報である。そして、上記第１の情報は、セル１０内で上記拡張帯域における測定を実行するようにＵＥを制御するための設定情報であり、上記第２の情報は、セル１０内で上記拡張帯域における測定を実行しないようにＵＥを制御するための設定情報である。また、例えば、上記設定情報は、通信システム１の運用者（operator）により設定される。
【００７３】
第２の例として、上記測定関連情報は、セル１０内で上記拡張帯域における測定を行うか否かの判定結果であってもよい。そして、上記第１の情報は、セル１０内で上記拡張帯域における測定を行うという判定結果であり、上記第２の情報は、セル１０内で上記拡張帯域における測定を行わないという判定結果であってもよい。また、例えば、セル１０内で上記拡張帯域における測定を行うか否かの判定は、拡張帯域における通信品質に基づいて行われてもよい。また、当該判定は、情報取得部１５１により行われてもよい。
【００７４】
（通信制御部１５３）
通信制御部１５３は、セル１０内での無線通信を制御する。
【００７５】
とりわけ、本開示の実施形態では、通信制御部１５３は、上記測定関連情報に基づいて、上記拡張帯域におけるＵＥによる測定に関連する制御（以下、「測定関連制御」と呼ぶ）を行う。
【００７６】
−測定の実行の制御
また、とりわけ第１の実施形態では、上記測定関連制御は、上記拡張帯域におけるＵＥによる測定の実行の制御を含む。即ち、通信制御部１５３は、上記測定関連情報に基づいて、上記拡張帯域におけるＵＥによる測定の実行の制御を行う。
【００７７】
−−ＵＥへの指示
例えば、上記測定関連制御は、上記拡張帯域において測定を行うこと又は測定を行わないことをＵＥ２００−１に指示することを含む。
【００７８】
第１の例として、上記測定関連制御は、上記拡張帯域において測定を行うことをＵＥ２００−１に指示すること、及び、上記拡張帯域において測定を行わないことをＵＥ２００−１に指示することを含む。即ち、通信制御部１５３は、上記拡張帯域において測定を行うこと、及び上記拡張帯域において測定を行わないことのうちの一方を、ＵＥ２００−１に指示する。この場合に、例えば、ＵＥ２００−１は、上記拡張帯域において測定を行うことをｅＮｏｄｅＢ１００−１により指示されると、上記拡張帯域において測定を行う。また、ＵＥ２００−１は、上記拡張帯域において測定を行わないことをｅＮｏｄｅＢ１００−１により指示されると、上記拡張帯域において測定を行わない。
【００７９】
より具体的には、例えば、上述したように、上記測定関連情報は、セル１０内で上記拡張帯域における測定を行うことに対応する第１の情報、及びセル１０内で上記拡張帯域における測定を行わないことに対応する第２の情報のうちのいずれかである。この場合に、上記測定関連情報が、上記第１の情報である場合に、通信制御部１５３は、上記拡張帯域において測定を行うことをＵＥ２００−１に指示する。その結果、ＵＥ２００−１は、上記拡張帯域において測定を行う。一方、上記測定関連情報が、上記第２の情報である場合に、通信制御部１５３は、上記拡張帯域において測定を行わないことをＵＥ２００−１に指示する。その結果、ＵＥ２００−１は、上記拡張帯域において測定を行わない。
【００８０】
また、第２の例として、上記測定関連制御は、上記拡張帯域において測定を行わないことをＵＥ２００−１に指示することを含み、上記拡張帯域において測定を行うことをＵＥ２００−１に指示することを含まなくてもよい。即ち、通信制御部１５３は、上記拡張帯域において測定を行わないことをＵＥ２００−１に指示し、上記拡張帯域において測定を行わないことをＵＥ２００−１に指示しなくてもよい。この場合に、例えば、ＵＥ２００−１は、ｅＮｏｄｅＢ１００−１による指示があれば、上記拡張帯域において測定を行わず、ｅＮｏｄｅＢ１００−１による指示がなければ、上記拡張帯域において測定を行う。
【００８１】
より具体的には、例えば、上述したように、上記測定関連情報は、セル１０内で上記拡張帯域における測定を行うことに対応する第１の情報、及びセル１０内で上記拡張帯域における測定を行わないことに対応する第２の情報のうちのいずれかである。この場合に、上記測定関連情報が、上記第１の情報である場合に、通信制御部１５３は、上記拡張帯域において測定を行わないことをＵＥ２００−１に指示しない。その結果、ＵＥ２００−１は、上記拡張帯域において測定を行う。一方、上記測定関連情報が、上記第２の情報である場合に、通信制御部１５３は、上記拡張帯域において測定を行わないことをＵＥ２００−１に指示する。その結果、ＵＥ２０は、上記拡張帯域において測定を行わない。
【００８２】
第３の例として、上記測定関連制御は、上記拡張帯域において測定を行うことをＵＥ２００−１に指示することを含み、上記拡張帯域において測定を行わないことをＵＥ２００−１に指示することを含まなくてもよい。即ち、通信制御部１５３は、上記拡張帯域において測定を行うことをＵＥ２００−１に指示し、上記拡張帯域において測定を行わないことをＵＥ２００−１に指示しなくてもよい。この場合に、例えば、ＵＥ２００−１は、ｅＮｏｄｅＢ１００−１による指示があれば、上記拡張帯域において測定を行い、ｅＮｏｄｅＢ１００−１による指示がなければ、上記拡張帯域において測定を行わない。
【００８３】
より具体的には、例えば、上述したように、上記測定関連情報は、セル１０内で上記拡張帯域における測定を行うことに対応する第１の情報、及びセル１０内で上記拡張帯域における測定を行わないことに対応する第２の情報のうちのいずれかである。この場合に、上記測定関連情報が、上記第１の情報である場合に、通信制御部１５３は、上記拡張帯域において測定を行うことをＵＥ２００−１に指示する。その結果、ＵＥ２００−１は、上記拡張帯域において測定を行う。一方、上記測定関連情報が、上記第２の情報である場合に、通信制御部１５３は、上記拡張帯域において測定を行うことをＵＥ２００−１に指示しない。その結果、ＵＥ２０は、上記拡張帯域において測定を行わない。
【００８４】
−−ＵＥへの指示の手段
また、例えば、通信制御部１５３は、無線通信部１２０を介して、ＵＥ２００−１への個別のシグナリングにより、測定の実行又は不実行をＵＥ２００−１に指示する。一例として、当該シグナリングは、Ｃｏｎｎｅｃｔｉｏｎ  Ｓｅｔｕｐの際のシグナリングである。また、別の例として、当該シグナリングは、ＲＲＣシグナリングである。このような個別の指示により、個々のＵＥごとに別々の指示を行うことが可能になる。即ち、あるＵＥ２００−１には拡張帯域における測定を行わせ、別のＵＥ２００−１には拡張帯域における測定を行わせないことが可能になる。
【００８５】
なお、通信制御部１５３は、システム情報によりＵＥ２００−１に一括で指示してもよい。このような一括の指示により、ｅＮｏｄｅＢ１００−１によるシグナリングの負荷及び無線リソースの消費が軽減され得る。
【００８６】
−−効果
例えば以上のように、上記拡張帯域におけるＵＥによる測定の実行の制御が行われる。これにより、例えば、運用者が拡張帯域における測定が不要であると判断した場合にＵＥ２００−１に拡張帯域での測定を省略させることも可能になる。そのため、割り当てられた周波数帯域が有効に利用される場合（即ち、拡張帯域も利用される場合）にＵＥ２００−１による測定の負荷を抑えることが可能になる。
【００８７】
第１の例として、割り当てられた周波数帯域の帯域幅が２１ＭＨｚであるのに対して、拡張帯域の帯域幅が１ＭＨｚであり得る。また、第２の例として、割り当てられた周波数帯域の帯域幅が６ＭＨｚであるのに対して、拡張帯域の帯域幅が１ＭＨｚであり得る。例えば、上記第１の例では、拡張帯域における測定を省略することは、全体に大きなインパクトを与えないので、運用者は、拡張帯域における測定が不要であると判断し得る。そして、当該拡張帯域における測定が省略され得る。また、例えば、上記第２の例では、拡張帯域における測定を省略することは、全体に大きなインパクトを与え得るので、運用者は、拡張帯域における測定が必要であると判断し得る。そして、当該拡張帯域における測定が実行され得る。
【００８８】
−その他の制御
例えば、通信制御部１５３は、上記拡張帯域に関する情報をＵＥ２００−１に通知する。具体的には、例えば、上記拡張帯域に関する上記情報は、上記拡張帯域の帯域幅及び／又は中心周波数等の情報を含む。例えば、通信制御部１５３は、システム情報により、上記拡張帯域に関する上記情報をＵＥ２００−１に通知する。なお、通信制御部１５３は、いずれかのシグナリング（Ｃｏｎｎｅｃｔｉｏｎ  Ｓｅｔｕｐの際のシグナリング、ＲＲＣシグナリング、等）により、上記拡張帯域に関する上記情報をＵＥ２００−１に通知してもよい。
【００８９】
＜＜３．２．ＵＥの構成＞＞
まず、図７を参照して、第１の実施形態に係るＵＥ２００−１の構成を説明する。図７は、第１の実施形態に係るＵＥ２００−１の構成の一例を示すブロック図である。図７を参照すると、ＵＥ２００−１は、アンテナ部２１０、無線通信部２２０、記憶部２３０、入力部２４０、表示部２５０及び処理部２６０を含む。
【００９０】
（アンテナ部２１０）
アンテナ部２１０は、無線信号を受信し、受信された無線信号を無線通信部２２０へ出力する。また、アンテナ部２１０は、無線通信部２２０により出力された送信信号を送信する。
【００９１】
（無線通信部２２０）
無線通信部２２０は、ＵＥ２００がセル１０に位置する場合に、ｅＮｏｄｅＢ１００との無線通信を行う。
【００９２】
また、ＵＥ２００は、上記拡張帯域を利用するケイパビリティを有し、無線通信部２２０は、上記所定幅帯域及び上記拡張帯域においてｅＮｏｄｅＢ１００との無線通信を行う。
【００９３】
（記憶部２３０）
記憶部２３０は、ＵＥ２００の動作のためのプログラム及びデータを記憶する。
【００９４】
（入力部２４０）
入力部２４０は、ＵＥ２００のユーザによる入力を受け付ける。そして、入力部２４０は、入力結果を処理部２６０に提供する。
【００９５】
（表示部２５０）
表示部２５０は、ＵＥ２００からの出力画面（即ち、出力画像）を表示する。例えば、表示部２５０は、処理部２６０（表示制御部２６９）による制御に応じて、出力画面を表示する。
【００９６】
（処理部２６０）
処理部２６０は、ＵＥ２００−１の様々な機能を提供する。処理部２６０は、帯域認識部２６１、測定部２６３、測定制御部２６５、報告部２６７及び表示制御部２６９を含む。
【００９７】
（帯域認識部２６１）
帯域認識部２６１は、事業者に割り当てられた周波数帯域のうちのコンポーネントキャリア（所定帯域幅の帯域）以外の拡張帯域を認識する。
【００９８】
例えば、ｅＮｏｄｅＢ１００−１が、上記拡張帯域に関する情報をＵＥ２００−１に通知する。すると、帯域認識部２６１は、無線通信部２２０を介して当該情報を取得し、上記拡張帯域を認識する。より具体的には、例えば、上述したように、上記拡張帯域に関する上記情報は、上記拡張帯域の帯域幅及び／又は中心周波数等の情報を含み、帯域認識部２６１は、上記拡張帯域の帯域幅及び／又は中心周波数等を認識する。
【００９９】
（測定部２６３）
測定部２６３は、事業者に割り当てられた周波数帯域における測定（measurement）を行う。
【０１００】
例えば、上記測定は、伝送路の品質の測定である。より具体的には、例えば、当該測定は、ＲＳＲＰ及び／又はＲＳＳＱの測定である。この場合に、測定部２６３は、制御信号を用いてＲＳＲＰを測定する。即ち、測定部２６３は、当該制御信号の受信電力を平均化することにより、ＲＳＲＰを測定する。例えば、上記制御信号は、ＣＲＳ及び／又はＣＳＩ−ＲＳを含む。
【０１０１】
また、測定部２６３は、測定制御部２６５による制御に応じて上記測定を行う。例えば、測定部２６３は、測定制御部２６５により指定される帯域における測定を行う。例えば、測定部２６３は、ＣＣ（所定帯域幅の帯域）における測定を行う。また、例えば、測定部２６３は、ＣＣ及び拡張帯域における測定を行う。
【０１０２】
（測定制御部２６５）
測定制御部２６５は、ＵＥ２００−１による測定の実行を制御する。
【０１０３】
とりわけ第１の実施形態では、測定制御部２６５は、上記拡張帯域における測定の一部又は全部が行われないように、測定の実行を制御する。これにより、割り当てられた周波数帯域が有効に利用される場合（即ち、拡張帯域も利用される場合）にＵＥ２００−１による測定の負荷を抑えることが可能になる。
【０１０４】
また、とりわけ第１の実施形態では、測定制御部２６５は、ｅＮｏｄｅＢ１００−１による上記測定関連制御（即ち、上記拡張帯域におけるＵＥによる測定に関連する制御）に応じて、上記拡張帯域における測定の実行を制御する。そして、測定制御部２６５は、上記拡張帯域における測定の一部又は全部が行われないように、測定の実行を制御する。
【０１０５】
例えば、ｅＮｏｄｅＢ１００−１が、上記拡張帯域において測定を行うこと又は測定を行わないことをＵＥ２００−１に指示する。すると、測定制御部２６５は、ｅＮｏｄｅＢ１００−１による指示に応じて、上記拡張帯域における測定を測定部２６３に行わせ、又は上記拡張帯域における測定を測定部２６３に行わせない。
【０１０６】
第１の例として、ｅＮｏｄｅＢ１００−１は、上記拡張帯域において測定を行うことを指示し、また、上記拡張帯域において測定を行わないことをＵＥ２００−１に指示する。この場合に、ｅＮｏｄｅＢ１００−１が、上記拡張帯域において測定を行うことをＵＥ２００−１に指示すると、測定制御部２６５は、上記拡張帯域における測定を測定部２６３に行わせる。一方、ｅＮｏｄｅＢ１００−１が、上記拡張帯域において測定を行わないことをＵＥ２００−１に指示すると、測定制御部２６５は、上記拡張帯域における測定を測定部２６３に行わせない。
【０１０７】
第２の例として、ｅＮｏｄｅＢ１００−１は、上記拡張帯域において測定を行わないことをＵＥ２００に指示し、上記拡張帯域において測定を行うことをＵＥ２００に指示しなくてもよい。この場合に、ｅＮｏｄｅＢ１００−１が、上記拡張帯域において測定を行わないことをＵＥ２００−１に指示すると、測定制御部２６５は、上記拡張帯域における測定を測定部２６３に行わせない。一方、ｅＮｏｄｅＢ１００−１が、上記拡張帯域において測定を行わないことをＵＥ２００−１に指示しなければ、測定制御部２６５は、上記拡張帯域における測定を測定部２６３に行わせる。
【０１０８】
第３の例として、ｅＮｏｄｅＢ１００−１は、上記拡張帯域において測定を行うことをＵＥ２００に指示し、上記拡張帯域において測定を行わないことをＵＥ２００に指示しなくてもよい。この場合に、ｅＮｏｄｅＢ１００−１が、上記拡張帯域において測定を行うことをＵＥ２００−１に指示すると、測定制御部２６５は、上記拡張帯域における測定を測定部２６３に行わせる。一方、ｅＮｏｄｅＢ１００−１が、上記拡張帯域において測定を行うことをＵＥ２００−１に指示しなければ、測定制御部２６５は、上記拡張帯域における測定を測定部２６３に行わせない。
【０１０９】
（報告部２６７）
報告部２６７は、ＵＥ２００−１による測定結果をｅＮｏｄｅＢ１００−１に報告する。
【０１１０】
例えば、当該測定結果は、ＲＳＲＰ及び／又はＲＳＳＱを含む。即ち、報告部２６７は、無線通信部２２０を介して、ＲＳＲＰ及び／又はＲＳＳＱ等をｅＮｏｄｅＢ１００−１に報告する。
【０１１１】
（表示制御部２６９）
表示制御部２６９は、表示部２５０による出力画面の表示を制御する。例えば、表示制御部２６９は、表示部２５０により表示される出力画面を生成し、当該出力画面を表示部２５０に表示させる。
【０１１２】
＜＜３．３．処理の流れ＞＞
次に、図８及び図９を参照して、第１の実施形態に係る通信制御処理の例を説明する。
【０１１３】
（ｅＮｏｄｅＢ側の通信制御処理）
図８は、第１の実施形態に係るｅＮｏｄｅＢ１００−１側の通信制御処理の概略的な流れの一例を示すフローチャートである。例えば、ｅＮｏｄｅＢ１００−１側の当該通信制御処理は、ｅＮｏｄｅＢ１００−１の運用の開始又は再開の際に開始する。
【０１１４】
まず、ステップＳ３０１で、情報取得部１５１は、事業者に割り当てられた周波数帯域のうちのＣＣ（所定帯域幅の帯域）以外の拡張帯域におけるＵＥによる測定の実行に関連する測定関連情報を取得する。上記測定関連情報は、セル１０内で上記拡張帯域における測定を行うことに対応する第１の情報、及びセル１０内で上記拡張帯域における測定を行わないことに対応する第２の情報のうちのいずれかである。
【０１１５】
次に、ステップＳ３０３で、通信制御部１５３は、上記測定関連情報が上記第１の情報であるかを判定する。上記測定関連情報が上記第１の情報であれば、処理はステプＳ３０５へ進む。そうでなければ（即ち、上記測定関連情報が上記第２の情報であれば）、処理はステプＳ３０７へ進む。
【０１１６】
ステップＳ３０５で、通信制御部１５３は、無線通信部１２０を介して、上記拡張帯域において測定を行うことをＵＥ２００−１に所定の手段で指示する。そして、処理は、ステップＳ３０５を繰り返す。
【０１１７】
ステップＳ３０７で、通信制御部１５３は、無線通信部１２０を介して、上記拡張帯域において測定を行わないことをＵＥ２００−１に所定の手段で指示する。そして、処理は、ステップＳ３０７を繰り返す。
【０１１８】
なお、上記所定の手段は、ＵＥ２００−１への個別のシグナリングであってもよく、又はシステム情報であってもよい。
【０１１９】
（ＵＥ側の通信制御処理）
図９は、第１の実施形態に係るＵＥ２００−１側の通信制御処理の概略的な流れの一例を示すフローチャートである。例えば、ＵＥ２００−１側の当該通信制御処理は、ｅＮｏｄｅＢ１００−１から拡張帯域における測定についての指示を受けた際に開始する。
【０１２０】
まず、ステップＳ４０１で、測定制御部２６５は、拡張帯域において測定を行うことをＵＥ２００−１がｅＮｏｄｅＢ１００−１により指示されたかを判定する。拡張帯域において測定を行うことをＵＥ２００−１がｅＮｏｄｅＢ１００−１により指示された場合には、処理はステップＳ４０３へ進む。そうでなければ、処理はステップＳ４０５へ進む。
【０１２１】
ステップＳ４０３で、測定制御部２６５は、上記拡張帯域における測定を測定部２６３に行わせる。そして、測定部２６３は、ＣＣ及び上記拡張帯域における測定を行う。そして、処理は、ステップＳ４０３を繰り返す。
【０１２２】
ステップＳ４０５で、測定制御部２６５は、上記拡張帯域における測定を測定部２６３に行わせない。すると、測定部２６３は、ＣＣにおける測定を行う。そして、処理は、ステップＳ４０５を繰り返す。
【０１２３】
＜＜３．４．変形例＞＞
次に、図１０及び図１１を参照して、第１の実施形態の変形例を説明する。
【０１２４】
第１の実施形態の変形例では、ＵＥ２００−１の中でも、事業者に割り当てられた周波数帯域を通信に使用しているＵＥ２００−１が、当該周波数帯域の上記拡張帯域において測定を行わないように、測定の実行が制御される。
【０１２５】
（ｅＮｏｄｅＢの構成：通信制御部１５３）
−−ＵＥへの指示
とりわけ第１実施形態の変形例では、上記測定関連制御は、上記周波数帯域を通信に使用しているＵＥ２００−１が上記拡張帯域において測定を行わないように、上記拡張帯域において測定を行うこと、又は行わないことを、ＵＥ２００−１に指示することを含む。
【０１２６】
例えば、上記測定関連制御は、使用している周波数帯域の拡張帯域においても測定を行うことをＵＥ２００−１に指示すること、及び、使用している周波数帯域の拡張帯域において測定を行わないことをＵＥ２００−１に指示することを含む。即ち、通信制御部１５３は、使用している周波数帯域の拡張帯域において測定を行うこと、及び、使用している周波数帯域の拡張帯域において測定を行わないことのうちの一方を、ＵＥ２００−１に指示する。この場合に、例えば、ＵＥ２００−１は、使用している周波数帯域の拡張帯域においても測定を行うことをｅＮｏｄｅＢ１００−１により指示されると、使用している周波数帯域の拡張帯域においても測定を行う。また、ＵＥ２００−１は、使用している周波数帯域の拡張帯域において測定を行わないことをｅＮｏｄｅＢ１００−１により指示されると、使用している周波数帯域の拡張帯域において測定を行わない。
【０１２７】
なお、別の例として、上記測定関連制御は、使用している周波数帯域の拡張帯域において測定を行わないことをＵＥ２００−１に指示することを含み、使用している周波数帯域の拡張帯域においても測定を行うことをＵＥ２００−１に指示することを含まなくてもよい。また、さらに別の例として、上記測定関連制御は、使用している周波数帯域の拡張帯域においても測定を行うことをＵＥ２００−１に指示することを含み、使用している周波数帯域の拡張帯域において測定を行わないことをＵＥ２００−１に指示することを含まなくてもよい。
【０１２８】
（ＵＥの構成：測定制御部２６５）
とりわけ第１の実施形態の変形例では、測定制御部２６５は、ｅＮｏｄｅＢ１００−１による上記測定関連制御（即ち、上記拡張帯域におけるＵＥによる測定に関連する制御）に応じて、上記拡張帯域における測定の実行を制御する。そして、測定制御部２６５は、ＵＥ２００−１が上記周波数帯域を通信に使用している場合に上記拡張帯域における測定が行われないように、測定の実行を制御する。
【０１２９】
例えば、ｅＮｏｄｅＢ１００−１が、使用している周波数帯域の拡張帯域測定を行うこと又は測定を行わないことをＵＥ２００−１に指示する。すると、測定制御部２６５は、ｅＮｏｄｅＢ１００−１による指示に応じて、使用している周波数帯域の拡張帯域における測定を測定部２６３に行わせ、又は使用している周波数帯域の拡張帯域における測定を測定部２６３に行わせない。
【０１３０】
例えば、ｅＮｏｄｅＢ１００−１は、使用している周波数帯域の拡張帯域において測定を行うことを指示し、また、使用している周波数帯域の拡張帯域において測定を行わないことをＵＥ２００−１に指示する。この場合に、ｅＮｏｄｅＢ１００−１が、使用している周波数帯域の拡張帯域において測定を行うことをＵＥ２００−１に指示すると、測定制御部２６５は、使用している周波数帯域の拡張帯域における測定を測定部２６３に行わせる。一方、ｅＮｏｄｅＢ１００−１が、使用している周波数帯域の拡張帯域において測定を行わないことをＵＥ２００−１に指示すると、測定制御部２６５は、使用している周波数帯域の拡張帯域における測定を測定部２６３に行わせない。
【０１３１】
（処理の流れ：ｅＮｏｄｅＢ側の通信制御処理）
図１０は、第１の実施形態の変形例に係るｅＮｏｄｅＢ１００−１側の通信制御処理の概略的な流れの一例を示すフローチャートである。
【０１３２】
ここで、図１０に示される第１の実施形態の変形例に係る一例と、図８に示される第１の実施形態に係る一例との相違点である、ステップＳ３２１及びＳ３２３のみを説明する。
【０１３３】
ステップＳ３２１で、通信制御部１５３は、無線通信部１２０を介して、使用している周波数帯域の拡張帯域においても測定を行うことをＵＥ２００−１に所定の手段で指示する。そして、処理は、ステップＳ３２１を繰り返す。
【０１３４】
ステップＳ３２３で、通信制御部１５３は、無線通信部１２０を介して、使用している周波数帯域の拡張帯域において測定を行わないことをＵＥ２００−１に所定の手段で指示する。そして、処理は、ステップＳ３２３を繰り返す。
【０１３５】
（処理の流れ：ＵＥ側の通信制御処理）
図１１は、第１の実施形態の１の変形例に係るＵＥ２００−１側の通信制御処理の概略的な流れの一例を示すフローチャートである。
【０１３６】
まず、ステップＳ４２１で、測定制御部２６５は、使用している周波数帯域の拡張帯域においても測定を行うことをＵＥ２００−１がｅＮｏｄｅＢ１００−１により指示されたかを判定する。使用している周波数帯域の拡張帯域においても測定を行うことをＵＥ２００−１がｅＮｏｄｅＢ１００−１により指示された場合には、処理はステップＳ４２３へ進む。そうでなければ、処理はステップＳ４２５へ進む。
【０１３７】
ステップＳ４２３で、測定制御部２６５は、使用している周波数帯域の拡張帯域における測定を測定部２６３に行わせる。そして、測定部２６３は、使用している周波数帯域のＣＣ及び拡張帯域における測定を行う。そして、処理は、ステップＳ４２３を繰り返す。
【０１３８】
ステップＳ４２５で、測定制御部２６５は、使用している周波数帯域の拡張帯域における測定を測定部２６３に行わせない。すると、測定部２６３は、使用している周波数帯域のＣＣにおける測定を行う。そして、処理は、ステップＳ４２５を繰り返す。
【０１３９】
以上、第１の実施形態の変形例を説明した。当該変形例によれば、ＵＥによる測定の負荷を抑えることが可能になる。より具体的には、例えば、異なる周波数帯域間でのハンドオーバの頻度よりも、同一周波数帯域でのハンドオーバ（セル間ハンドオーバ）の頻度の方がより高い。そのため、異なる周波数帯域間でのハンドオーバのための測定（即ち、ＵＥが使用していない周波数帯域における測定）の負荷よりも、同一周波数帯域でのハンドオーバのための測定（即ち、ＵＥが使用している周波数帯域における測定）の負荷の方がより大きい。そのため、特に、ＵＥが使用している周波数帯域における測定を減らすことにより、ＵＥにより測定の負荷をより効果的に抑えることが可能になる。
【０１４０】
なお、既に使用している周波数帯域における測定の結果は継続して取得されているので、拡張帯域における測定まで行われなくても、ＣＣにおける測定が行われれば十分であることが多いと考えられる。一方、使用していない周波数帯域は、使用している周波数帯域の帯域幅と異なる帯域幅を有する場合（ＣＣ及び／又は拡張帯域が異なる場合）もあるので、ＣＣだけではなく拡張帯域も含む帯域の測定結果があることが望ましいと考えられる。そのため、上述したように、ＵＥが使用していない周波数帯域の拡張帯域における測定よりも、ＵＥが使用している周波数帯域の拡張帯域における測定が省略されることがより望ましいと考えられる。
【０１４１】
以上、第１の実施形態を説明したが、第１の実施形態は上述した例に限定されない。
【０１４２】
例えば、拡張帯域におけるＵＥによる測定が実行されるか否かが、セル１０の単位で決まる例を説明したが、第１の実施形態は係る例に限定されない。例えば、拡張帯域におけるＵＥによる測定が実行されるか否かは、ＵＥ２００−１の単位で決まってもよい。一例として、拡張帯域におけるＵＥ２００−１ごとの通信品質に応じて、拡張帯域におけるＵＥによる測定が実行されるか否かが決まってもよい。
【０１４３】
＜＜＜４．第２の実施形態＞＞＞
続いて、図１２及び図１３を参照して、本開示の第２の実施形態を説明する。
【０１４４】
上述したように、事業者に割り当てられた周波数帯域のうちのコンポーネントキャリア（ＣＣ）以外の拡張帯域においてもＵＥが無線通信を行う場合には、当該拡張帯域も使用される帯域である以上、ＵＥが当該拡張帯域においても測定を行うことが考えられる。しかし、その場合に、ＵＥは、ＣＣ及び拡張帯域（即ち、より広い帯域）において測定を行うことになる。その結果、ＵＥにとっての測定の負荷が増加し得る。
【０１４５】
そこで、本開示の第１の実施形態では、割り当てられた周波数帯域が有効に利用される場合（即ち、拡張帯域も利用される場合）にＵＥによる測定の負荷を抑えることが可能になる。具体的には、第２の実施形態では、ＵＥ２００は、アイドル状態である場合に、拡張帯域における測定を行わない。
【０１４６】
＜＜４．１．ＵＥの構成＞＞
まず、図１２を参照して、第２の実施形態に係るＵＥ２００−２の概略的な構成を説明する。図１２は、第２の実施形態に係るＵＥ２００−２の構成の一例を示すブロック図である。図１２を参照すると、ＵＥ２００−２は、アンテナ部２１０、無線通信部２２０、記憶部２３０、入力部２４０、表示部２５０及び処理部２７０を含む。
【０１４７】
ここで、アンテナ部２１０、無線通信部２２０、記憶部２３０、入力部２４０及び表示部２５０、並びに、処理部２７０に含まれる帯域認識部２６１、測定部２６３、報告部２６７及び表示制御部２６９については、第１の実施形態と第２の実施形態との間に差異はない。よって、ここでは、処理部２７０のうちの測定制御部２７１を説明する。
【０１４８】
（測定制御部２７１）
測定制御部２７１は、ＵＥ２００−２による測定の実行を制御する。
【０１４９】
とりわけ第２の実施形態では、測定制御部２７１は、ＵＥ２００−２が無線リソースについてのアイドル状態である場合に、事業者に割り当てられた周波数帯域のうちのＣＣ（所定帯域幅の帯域）以外の拡張帯域における測定が行われないように、測定の実行を制御する。
【０１５０】
より具体的には、例えば、ＵＥ２００−２がＲＲＣ接続（RRC_Connected）状態である場合に、測定制御部２７１は、上記拡張帯域における測定を測定部２６３に行わせる。即ち、測定制御部２７１は、事業者に割り当てられた周波数帯域のうちのＣＣ及び拡張帯域における測定を測定部２６３に行わせる。一方、ＵＥ２００−２がＲＲＣアイドル（RRC_Idle）状態である場合に、測定制御部２７１は、上記拡張帯域における測定を測定部２６３に行わせない。即ち、測定制御部２７１は、事業者に割り当てられた周波数帯域のうちのＣＣにおける測定を測定部２６３に行わせる。
【０１５１】
これにより、割り当てられた周波数帯域が有効に利用される場合（即ち、拡張帯域も利用される場合）にＵＥによる測定の負荷を抑えることが可能になる。
【０１５２】
より具体的には、例えば、とりわけＵＥがＲＲＣアイドル状態である場合にはＵＥの消費電力を可能な限り抑えたいという要望がある。そのため、このようにＲＲＣアイドル状態の場合に測定が省略されることにより、ＲＲＣアイドル状態の際のＵＥの測定の負荷が抑えられ、その結果、消費電力が抑えられる。
【０１５３】
また、例えば、ページングチャネルでの情報は、拡張帯域ではなく、ＣＣ（所定帯域幅の帯域）において送信されることも考えられる。この場合には、拡張帯域における品質よりもＣＣにおける品質が重要となるので、ＲＲＣアイドル状態の場合の測定の省略により、無駄な測定を減らすことが可能になる。
【０１５４】
＜＜４．２．処理の流れ＞＞
次に、図１３を参照して、第２の実施形態に係る通信制御処理の例を説明する。図１３は、第２の実施形態に係るＵＥ２００−２側の通信制御処理の概略的な流れの一例を示すフローチャートである。
【０１５５】
まず、ステップＳ５０１で、測定制御部２６５は、ＵＥ２００−２がＲＲＣアイドル状態であるかを判定する。ＵＥ２００−２がＲＲＣアイドル状態であれば、処理はステップＳ５０７へ進む。そうでなければ、処理はステップＳ５０３へ進む。
【０１５６】
ステップＳ５０３で、測定制御部２６５は、事業者に割り当てられた周波数帯域のうちのＣＣ及び拡張帯域における測定を測定部２６３に行わせる。
【０１５７】
ステップＳ５０５で、測定制御部２６５は、ＵＥ２００−２がＲＲＣアイドル状態になったかを判定する。ＵＥ２００−２がＲＲＣアイドル状態になったのであれば、処理はステップＳ５０７へ進む。そうでなければ、処理はステップＳ５０３へ進む。
【０１５８】
ステップＳ５０７で、測定制御部２６５は、事業者に割り当てられた周波数帯域のうちのＣＣにおける測定を測定部２６３に行わせる。
【０１５９】
ステップＳ５０９で、測定制御部２６５は、ＵＥ２００−２がＲＲＣ接続状態になったかを判定する。ＵＥ２００−２がＲＲＣ接続状態になったのであれば、処理はステップＳ５０３へ進む。そうでなければ、処理はステップＳ５０７へ進む。
【０１６０】
＜＜＜５．第３の実施形態＞＞＞
続いて、図１４〜図２５を参照して、本開示の第３の実施形態を説明する。
【０１６１】
事業者に割り当てられた周波数帯域のうちのコンポーネントキャリア（ＣＣ）以外の拡張帯域においてもＵＥが無線通信を行う場合には、ＣＣ及び拡張帯域を含む全体の帯域における測定が行われることが想定される。しかし、全体の帯域における測定及び当該測定の報告が行われると、ｅＮｏｄｅＢは、ＣＣ及び拡張帯域の各々についての品質を確認することができなくなる。その結果、ｅＮｏｄｅＢによる細やかな通信制御が困難になり得る。例えば、ＵＥに拡張帯域において無線通信を行わせるか否かを適切に判定することが困難になり得る。
【０１６２】
そこで、本開示の第３の実施形態では、ＣＣ（所定帯域幅の帯域）及び拡張帯域の各々における通信品質を考慮して無線通信を制御することが可能になる。具体的には、第３の実施形態では、ＣＣ（所定帯域幅の帯域）における測定結果と、拡張帯域における測定結果とが、それぞれ報告される。
【０１６３】
＜＜５．１．ｅＮｏｄｅＢの構成＞＞
まず、図１４を参照して、第３の実施形態に係るｅＮｏｄｅＢ１００−３の概略的な構成を説明する。図１４は、第３の実施形態に係るｅＮｏｄｅＢ１００−３の構成の一例を示すブロック図である。図６を参照すると、ｅＮｏｄｅＢ１００−１は、アンテナ部１１０、無線通信部１２０、ネットワーク通信部１３０、記憶部１４０及び処理部１６０を含む。
【０１６４】
ここで、アンテナ部１１０、無線通信部１２０、ネットワーク通信部１３０及び記憶部１４０については、第１の実施形態と第３の実施形態との間に差異はない。よって、ここでは、処理部１６０を説明する。
【０１６５】
（処理部１６０）
処理部１６０は、ｅＮｏｄｅＢ１００−３の様々な機能を提供する。処理部１６０は、情報取得部１６１及び通信制御部１６３を含む。
【０１６６】
（情報取得部１６１）
情報取得部１６１は、ＵＥによる測定の結果を取得する。
【０１６７】
例えば、情報取得部１６１は、事業者に割り当てられた周波数帯域のうちのＣＣ（所定帯域幅の帯域）におけるＵＥ２０による測定結果を取得する。
【０１６８】
具体的には、例えば、ＵＥ２０は、ＣＣにおける測定を行い、測定結果をｅＮｏｄｅＢ１００−３に報告する。そして、情報取得部１６１は、無線通信部１２０を介して、当該測定結果を取得する。
【０１６９】
また、例えば、情報取得部１６１は、事業者に割り当てられた周波数帯域のうちのＣＣ（所定帯域幅の帯域）及び拡張帯域におけるＵＥ２００による測定結果を取得する。とりわけ第３の実施形態では、情報取得部１６１は、ＣＣにおけるＵＥ２００−３による測定の結果である第１の測定結果と、拡張帯域におけるＵＥ２００−３による測定の結果である第２の測定結果とをそれぞれ取得する。
【０１７０】
具体的には、例えば、ＵＥ２００−３は、ＣＣにおける測定を行い、測定結果をｅＮｏｄｅＢ１００−３に報告する。また、ＵＥ２００−３は、拡張帯域における測定を行い、測定結果をｅＮｏｄｅＢ１００−３に報告する。
【０１７１】
これにより、ＣＣ（所定帯域幅の帯域）及び拡張帯域の各々における通信品質を考慮して無線通信を制御することが可能になる。一例として、ＵＥ２００に拡張帯域において無線通信を行わせるか否かを適切に判定することが可能になる。
【０１７２】
なお、情報取得部１６１は、第１の実施形態に係る情報取得部１５１と同様に、上記拡張帯域におけるＵＥによる測定の実行に関連する測定関連情報を取得してもよい。
【０１７３】
（通信制御部１６３）
通信制御部１６３は、セル１０内での無線通信を制御する。
【０１７４】
とりわけ第３の実施形態では、通信制御部１６３は、ＣＣにおけるＵＥ２００−３による測定の結果である第１の測定結果と、拡張帯域におけるＵＥ２００−３による測定の結果である第２の測定結果とに基づいて、セル１０内での無線通信を制御する。
【０１７５】
一例として、通信制御部１６３は、拡張帯域におけるＵＥ２００−３による測定の結果である第２の測定結果に基づいて、ＵＥ２００−３に拡張帯域における無線通信を行わせるかを判定する。
【０１７６】
なお、通信制御部１６３は、第１の実施形態に係る通信制御部１５３（又は後述する第４の実施形態に係る通信制御部１７３）と同様に、上記測定関連情報に基づいて、上記拡張帯域におけるＵＥによる測定に関連する制御（即ち、測定関連制御）を行ってもよい。
【０１７７】
＜＜５．２．ＵＥの構成＞＞
まず、図１５〜図１８を参照して、第３の実施形態に係るＵＥ２００−３の概略的な構成を説明する。図１５は、第３の実施形態に係るＵＥ２００−３の構成の一例を示すブロック図である。図１５を参照すると、ＵＥ２００−３は、アンテナ部２１０、無線通信部２２０、記憶部２３０、入力部２４０、表示部２５０及び処理部２８０を含む。
【０１７８】
ここで、アンテナ部２１０、無線通信部２２０、記憶部２３０、入力部２４０及び表示部２５０、並びに、処理部２８０に含まれる帯域認識部２６１及び表示制御部２６９については、第１の実施形態と第３の実施形態との間に差異はない。よって、ここでは、処理部２８０のうちの測定部２８１、測定制御部２８３及び報告部２８５を説明する。
【０１７９】
（測定部２８１）
測定部２８１は、事業者に割り当てられた周波数帯域における測定を行う。
【０１８０】
例えば、上記測定は、伝送路の品質の測定である。より具体的には、例えば、当該測定は、ＲＳＲＰ及び／又はＲＳＳＱの測定である。この場合に、測定部２８１は、制御信号を用いてＲＳＲＰを測定する。即ち、測定部２８１は、当該制御信号の受信電力を平均化することにより、ＲＳＲＰを測定する。例えば、上記制御信号は、ＣＲＳ及び／又はＣＳＩ−ＲＳを含む。
【０１８１】
また、測定部２８１は、測定制御部２８３による制御に応じて上記測定を行う。例えば、測定部２８１は、測定制御部２８３により指定される帯域における測定を行う。例えば、測定部２８１は、ＣＣ（所定帯域幅の帯域）における測定を行う。また、例えば、測定部２６３は、ＣＣ及び拡張帯域における測定を行う。
【０１８２】
−ＣＣ及び拡張帯域の各々における測定
とりわけ第３の実施形態では、測定部２８１は、ＣＣ及び拡張帯域における測定を行う場合に、ＣＣにおける測定と、拡張帯域における測定とをそれぞれ行う。
【０１８３】
より具体的には、例えば、測定部２８１は、ＣＣにおけるＲＳＲＰ及び／又はＲＳＳＱと、拡張帯域におけるＲＳＲＰ及び／又はＲＳＳＱとを測定する。結果として、ＣＣにおけるＵＥによる測定の結果である第１の測定結果と、拡張帯域におけるＵＥによる測定の結果である第２の測定結果とが得られる。
【０１８４】
−測定期間
また、例えば、上記第１の測定結果は、ＣＣにおける第１の期間にわたる測定により得られる結果であり、上記第２の測定結果は、拡張帯域における第２の期間にわたる測定により得られる結果である。そして、上記第２の期間は、上記第１の期間よりも長い。即ち、測定部２８１は、ＣＣにおける第１の期間での測定を行い、拡張帯域における（第１の期間よりも長い）第２の期間での測定を行う。
【０１８５】
具体的には、例えば、測定部２８１は、ＣＣにおける第１の期間にわたる制御信号を用いてＲＳＲＰ及び／又はＲＳＲＱを測定する。また、測定部２８１は、拡張帯域におけるより長い第２の期間にわたる制御信号を用いてＲＳＲＰ及び／又はＲＳＲＱを測定する。以下、この点について図１６を参照して具体例を説明する。
【０１８６】
図１６は、コンポーネントキャリア（ＣＣ）及び拡張帯域の各々における測定の期間の一例を説明するための説明図である。図１６を参照すると、例えば、ＣＣでは、第１の期間５１にわたる制御信号（例えば、ＣＲＳ及び／又はＣＳＩ−ＲＳ）を用いてＲＳＲＰ及び／又はＲＳＲＱが測定される。一方、拡張帯域では、第１の期間５１よりも長い第２の期間６１にわたる制御信号（例えば、ＣＲＳ及び／又はＣＳＩ−ＲＳ）を用いてＲＳＲＰ及び／又はＲＳＲＱが測定される。
【０１８７】
このような測定期間により、ＣＣよりも帯域幅が狭い（即ち、測定に用いることが可能な制御信号の量がより少ない）拡張帯域についても信頼性の高い測定結果を得ることが可能になる。例えば、より多くの制御信号（例えば、ＣＲＳ及び／又はＣＳＩ−ＲＳ）の受信電力の平均化により、より信頼性の高いＲＳＲＰ及び／又はＲＳＲＱを得ることが可能になる。
【０１８８】
（測定制御部２８３）
測定制御部２８３は、ＵＥ２００−３による測定の実行を制御する。
【０１８９】
なお、例えば、測定制御部２８３は、第１の実施形態に係る測定制御部２６５と同様に、上記拡張帯域における測定の一部又は全部が行われないように、測定の実行を制御してもよい。
【０１９０】
（報告部２８５）
報告部２８５は、ＵＥ２００−３による測定結果をｅＮｏｄｅＢ１００−３に報告する。報告部２８５は、無線通信部２２０を介して、当該測定結果を報告する。
【０１９１】
例えば、当該測定結果は、ＲＳＲＰ及び／又はＲＳＳＱを含む。即ち、報告部２８５は、無線通信部２２０を介して、ＲＳＲＰ及び／又はＲＳＳＱ等をｅＮｏｄｅＢ１００−１に報告する。
【０１９２】
とりわけ第３の実施形態では、報告部２８５は、ＣＣにおけるＵＥによる測定の結果である第１の測定結果と、拡張帯域におけるＵＥによる測定の結果である第２の測定結果とを、それぞれ報告する。
【０１９３】
さらに、例えば、上記第２の測定結果の報告が行われる条件は、上記第１の測定結果の報告が行われる条件とは異なる。これにより、例えば、ＣＣにおける測定結果と、拡張帯域における測定結果とを、それぞれにより適したタイミングで報告することが可能になる。
【０１９４】
−報告の条件（第１の例）
第１の例として、上記第１の測定結果の報告は、１種類以上のイベントの各々によりトリガされる報告である。また、上記第２の測定結果の報告は、上記１種類以上のイベントに含まれない別の種類のイベントを含む少なくとも１種類のイベントの各々によりトリガされる報告である。これにより、例えば、拡張帯域における測定結果を、より適した独自のタイミングで報告することが可能になる。
【０１９５】
具体的には、例えば、第１の測定結果の報告をトリガする上記１種類以上のイベントは、リリース８で定められているイベントＡ１〜Ａ６のうちの１つ以上を含む。
【０１９６】
また、例えば、第２の測定結果の報告をトリガする上記別の種類のイベントは、上記第１の測定結果と上記第２の測定結果との関係が所定の条件を満たすことである。一例として、上記別の種類のイベントは、第１の測定結果と第２の測定結果との差分が所定の条件を満たすことである。以下、この点について、図１７及び図１８を参照して、イベントの具体例を説明する。
【０１９７】
図１７は、拡張帯域における測定の結果（第２の測定結果）の報告をトリガする別の種類のイベントの第１の例を説明するための説明図である。図１７を参照すると、拡張帯域及びＣＣの各々についてのＲＳＲＰが示されている。例えば、上記別の種類のイベントは、拡張帯域についてのＲＳＲＰからＣＣにおけるＲＳＲＰを差し引くことにより得られる差分７１が所定の閾値を超えることである。即ち、報告部２８５は、拡張帯域についてのＲＳＲＰがＣＣにおけるＲＳＲＰよりも所定の閾値以上大きくなると、拡張帯域における測定の結果（例えば、ＲＳＲＰ）をｅＮｏｄｅＢ１００−３に報告する。
【０１９８】
図１８、拡張帯域における測定の結果（第２の測定結果）の報告をトリガする別の種類のイベントの第２の例を説明するための説明図である。図１８を参照すると、拡張帯域及びＣＣの各々についてのＲＳＲＰが示されている。例えば、上記別の種類のイベントは、ＣＣにおけるＲＳＲＰから拡張帯域についてのＲＳＲＰを差し引くことにより得られる差分７３が所定の閾値を超えることである。即ち、報告部２８５は、拡張帯域についてのＲＳＲＰがＣＣにおけるＲＳＲＰよりも所定の閾値以上小さくなると、拡張帯域における測定の結果（例えば、ＲＳＲＰ）をｅＮｏｄｅＢ１００−３に報告する。
【０１９９】
このような報告の条件により、例えば、拡張帯域における通信品質とＣＣにおける通信品質とに所定の程度の差が生じた場合に、拡張帯域における測定結果が報告され得る。即ち、ＣＣにおける測定の結果とは異なる特徴が拡張帯域における測定の結果に現れる場合に限り、拡張帯域における測定の結果が報告され得る。その結果、例えば、拡張帯域における測定の結果の報告を限定し、報告の負荷を軽減することが可能になる。
【０２００】
なお、第２の測定結果の報告をトリガする上記少なくとも１種類のイベントは、リリース８で定められているイベントＡ１〜Ａ６のうちの１つ以上を含んでもよい。
【０２０１】
−報告の条件（第２の例）
第２の例として、上記第１の測定結果の報告及び上記第２の測定結果の報告は、少なくとも１つの同じ種類のイベントによりトリガされる報告であってもよい。そして、上記少なくとも１つの同じ種類のイベントのうちの一部又は全部は、上記第１の測定結果の報告のための第１の閾値と、上記第２の測定結果の報告のための第２の閾値とを有してもよい。
【０２０２】
具体的には、例えば、上記少なくとも１つの同じ種類のイベントは、リリース８で定められているイベントＡ１〜Ａ６のうちの１つ以上のイベントを含む。即ち、上記第１の測定結果の報告及び上記第２の測定結果の報告は、イベントＡ１〜Ａ６のうちの１つ以上のイベントによりトリガされる報告である。そして、当該１つ以上のイベントは、第１の測定結果（ＣＣにおける測定の結果）の報告のための第１の閾値と、第２の測定結果（拡張帯域における測定の結果）の報告のための第２の閾値とを有する。
【０２０３】
これにより、例えば、ＣＣにおける測定結果及び拡張帯域における測定結果を、それぞれにより適したタイミングで報告することが可能になる。一例として、より重要性の高い第１の測定結果（ＣＣにおける測定の結果）を、第２の測定結果（拡張帯域における測定の結果）よりもより頻繁に報告することが可能になる。
【０２０４】
−報告の条件（第３の例）
第３の例として、上記第１の測定結果の報告は、第１の周期で行われる報告であり、上記第２の測定結果の報告は、上記第１の周期と異なる第２の周期で行われる報告であってもよい。
【０２０５】
具体的には、例えば、報告部２８５は、周期的に測定結果を報告する。そして、報告部２８５は、第１の周期で第１の測定結果を報告し、第２の周期で第２の測定結果を報告する。一例として、上記第２の周期は、上記第１の周期よりも長い周期である。
【０２０６】
これにより、例えば、ＣＣにおける測定結果及び拡張帯域における測定結果を、それぞれにより適したタイミングで報告することが可能になる。一例として、第１の測定結果の周期よりもより長い周期で第２の測定結果（拡張帯域における測定の結果）を報告することにより、より長い期間を拡張帯域における測定の期間として確保することが可能になる。その結果、より信頼性の高い測定結果を報告することが可能になる。
【０２０７】
＜＜５．３．処理の流れ＞＞
次に、図１９〜図２１を参照して、第３の実施形態に係る通信制御処理の例を説明する。
【０２０８】
（ｅＮｏｄｅＢ側の通信制御処理）
図１９は、第３の実施形態に係るｅＮｏｄｅＢ１００−３側の通信制御処理の概略的な流れの一例を示すフローチャートである。
【０２０９】
ステップＳ６０１で、情報取得部１６１は、ＣＣにおけるＵＥ２００−３による測定の結果である第１の測定結果、又は、拡張帯域におけるＵＥ２００−３による測定の結果である第２の測定結果を取得する。
【０２１０】
ステップＳ６０３で、通信制御部１６３は、取得した測定結果に基づいて、セル１０内での無線通信を制御する。そして、処理はステップＳ６０１に戻る。
【０２１１】
（ＵＥ側の第１の通信制御処理）
図２０は、第３の実施形態に係るＵＥ２００−３側の第１の通信制御処理の概略的な流れの一例を示すフローチャートである。当該第１の通信制御処理は、ＣＣにおける測定に関する処理である。
【０２１２】
ステップＳ７１１で、測定部２８１は、ＣＣにおける第１の期間での測定を行う。
【０２１３】
ステップＳ７１３で、報告部２８５は、第１の測定結果（ＣＣにおける測定の結果）の報告をトリガするいずれかのイベントが発生したかを判定する。当該いずれかのイベントが発生していれば、処理はステップＳ７１５へ進む。そうでなければ、処理はステップＳ７１１へ戻る。
【０２１４】
ステップＳ７１５で、報告部２８５は、無線通信部２２０を介して、第１の測定結果（ＣＣにおける測定の結果）をｅＮｏｄｅＢ１００−３に報告する。そして、処理はステップＳ７１１へ戻る。
【０２１５】
（ＵＥ側の第２の通信制御処理）
図２１は、第３の実施形態に係るＵＥ２００−３側の第２の通信制御処理の概略的な流れの一例を示すフローチャートである。当該第２の通信制御処理は、拡張帯域における測定に関する処理である。
【０２１６】
ステップＳ７２１で、測定部２８１は、拡張帯域における第２の期間での測定を行う。
【０２１７】
ステップＳ７２３で、報告部２８５は、第２の測定結果（拡張帯域における測定の結果）の報告をトリガするいずれかのイベントが発生したかを判定する。当該いずれかのイベントが発生していれば、処理はステップＳ７２５へ進む。そうでなければ、処理はステップＳ７２１へ戻る。
【０２１８】
ステップＳ７２５で、報告部２８５は、無線通信部２２０を介して、第２の測定結果（拡張帯域における測定の結果）をｅＮｏｄｅＢ１００−３に報告する。そして、処理はステップＳ７２１へ戻る。
【０２１９】
＜＜５．４．変形例＞＞
次に、図２２〜図２５を参照して、第３の実施形態の変形例を説明する。
【０２２０】
第３の実施形態の変形例では、ｅＮｏｄｅＢ１００−３による制御に応じて、ＵＥ２００−１は、ＣＣにおける測定の結果と拡張帯域における測定の結果をそれぞれ報告し、又はＣＣ及び拡張帯域を含む帯域における測定の結果を報告する。
【０２２１】
（ｅＮｏｄｅＢの構成：情報取得部１６１）
とりわけ第３の実施形態の変形例では、情報取得部１６１は、ＣＣ及び拡張帯域に関する測定結果の報告単位に関する情報（以下、「報告単位情報」と呼ぶ）を取得する。
【０２２２】
例えば、上記報告単位情報は、ＣＣにおける測定の結果（第１の測定結果）と拡張帯域における測定の結果（第２の測定結果）とを報告することに対応する第３の情報、及び、ＣＣ及び拡張帯域を含む帯域における測定の結果（以下、「統合測定結果」と呼ぶ）を報告することに対応する第４の情報のうちのいずれかである。
【０２２３】
例えば、上記報告単位情報は、ｅＮｏｄｅＢ１００−３の設定情報である。そして、上記第３の情報は、ＣＣにおける測定の結果（第１の測定結果）と拡張帯域における測定の結果（第２の測定結果）とを報告するようにＵＥを制御するための設定情報である。また、上記第４の情報は、ＣＣ及び拡張帯域を含む帯域における測定の結果（統合測定結果）を報告するようにＵＥを制御するための設定情報である。また、例えば、上記設定情報は、通信システム１の運用者（operator）により設定される。
【０２２４】
（ｅＮｏｄｅＢの構成：通信制御部１６３）
とりわけ第３の実施形態の変形例では、通信制御部１６３は、測定の報告単位をＵＥ２００−３に指示する。例えば、通信制御部１６３は、ＣＣにおける測定の結果と拡張帯域における測定の結果をそれぞれ報告すること、及び／又は、ＣＣ及び拡張帯域を含む帯域における測定の結果を報告することを、ＵＥ２００−３に指示する。
【０２２５】
例えば、通信制御部１６３は、ＣＣにおける測定の結果と拡張帯域における測定の結果をそれぞれ報告すること、及びＣＣ及び拡張帯域を含む帯域における測定の結果を報告することのいずれかを、ＵＥ２００−３に指示する。より具体的には、例えば、上記報告単位情報が、上記第３の情報である場合に、通信制御部１６３は、ＣＣにおける測定の結果（第１の測定結果）と拡張帯域における測定の結果（第２の測定結果）をそれぞれ報告することを、ＵＥ２００−３に指示する。また、上記報告単位情報が、上記第４の情報である場合に、通信制御部１６３は、ＣＣ及び拡張帯域を含む帯域における測定の結果（統合測定結果）を報告することを、ＵＥ２００−３に指示する。
【０２２６】
（ＵＥの構成：測定部２８１）
とりわけ第３の実施形態の変形例では、測定部２８１は、測定制御部２８３による制御に応じて、ＣＣにおける測定と拡張帯域における測定とをそれぞれ行い、又は、ＣＣ及び拡張帯域を含む帯域における測定を行う。測定部２８１がＣＣにおける測定と拡張帯域における測定とをそれぞれ行う場合に、ＣＣにおける測定の結果（第１の測定結果）と拡張帯域における測定の結果（第２の測定結果）とが得られる。また、測定部２８１が、ＣＣ及び拡張帯域を含む帯域における測定を行う場合に、ＣＣ及び拡張帯域を含む帯域における測定の結果（統合測定結果）が得られる。
【０２２７】
（ＵＥの構成：測定制御部２８３）
とりわけ第３の実施形態の変形例では、測定制御部２８３は、ｅＮｏｄｅＢ１００−３による制御に応じて、測定の実行を制御する。
【０２２８】
具体的には、例えば、ｅＮｏｄｅＢ１００−３は、ＣＣにおける測定の結果（第１の測定結果）と拡張帯域における測定の結果（第２の測定結果）をそれぞれ報告することを、ＵＥ２００−３に指示する。すると、測定制御部２８３は、ＣＣにおける測定と拡張帯域における測定とをそれぞれ行うように、測定部２８１を制御する。また、例えば、ｅＮｏｄｅＢ１００−３が、ＣＣ及び拡張帯域を含む帯域における測定の結果（統合測定結果）を報告することを、ＵＥ２００−３に指示する。すると、測定制御部２８３は、ＣＣ及び拡張帯域を含む帯域における測定を行うように、測定部２８１を制御する。
【０２２９】
（ＵＥの構成：報告部２８５）
とりわけ第３の実施形態の変形例では、報告部２８５は、ｅＮｏｄｅＢ１００−３による制御に応じて、ＵＥ２００−３による測定結果をｅＮｏｄｅＢ１００−３に報告する。
【０２３０】
具体的には、例えば、ｅＮｏｄｅＢ１００−３は、ＣＣにおける測定の結果（第１の測定結果）と拡張帯域における測定の結果（第２の測定結果）をそれぞれ報告することを、ＵＥ２００−３に指示する。すると、報告部２８５は、第１の測定結果及び第２の測定結果をそれぞれｅＮｏｄｅＢ１００−３に報告する。また、例えば、ｅＮｏｄｅＢ１００−３が、ＣＣ及び拡張帯域を含む帯域における測定の結果（統合測定結果）を報告することを、ＵＥ２００−３に指示する。すると、報告部２８５は、統合測定結果をｅＮｏｄｅＢ１００−３に報告する。
【０２３１】
（処理の流れ：ｅＮｏｄｅＢ側の第１の通信制御処理）
図２２は、第３の実施形態の変形例に係るｅＮｏｄｅＢ１００−３側の第１の通信制御処理の概略的な流れの一例を示すフローチャートである。当該第１の通信制御処理は、測定の報告単位の指示に関する処理である。
【０２３２】
ステップＳ６２１で、情報取得部１６１は、報告単位情報（ＣＣ及び拡張帯域に関する測定結果の報告単位に関する情報）を取得する。上記報告単位情報は、ＣＣにおける測定の結果（第１の測定結果）と拡張帯域における測定の結果（第２の測定結果）とを報告することに対応する第３の情報、及び、ＣＣ及び拡張帯域を含む帯域における測定の結果（統合測定結果）を報告することに対応する第４の情報のうちのいずれかである。
【０２３３】
ステップＳ６２３で、通信制御部１６３は、上記報告単位情報が上記第３の情報であるかを判定する。上記報告単位情報が上記第３の情報であれば、処理はステプＳ６２５へ進む。そうでなければ（即ち、上記報告単位情報が上記第４の情報であれば）、処理はステプＳ６２７へ進む。
【０２３４】
ステップＳ６２５で、通信制御部１６３は、無線通信部１２０を介して、ＣＣにおける測定の結果である第１の測定結果と、拡張帯域における測定の結果である第２の測定結果とをそれぞれ報告することを、ＵＥ２００−３に所定の手段で指示する。そして、処理は、ステップＳ６２５を繰り返す。
【０２３５】
ステップＳ６２７で、通信制御部１６３は、無線通信部１２０を介して、ＣＣ及び拡張帯域を含む帯域における測定の結果である統合測定結果を報告することを、ＵＥ２００−３に指示する。そして、処理は、ステップＳ６２７を繰り返す。
【０２３６】
（処理の流れ：ｅＮｏｄｅＢ側の第２の通信制御処理）
図２３は、第３の実施形態の変形例に係るｅＮｏｄｅＢ１００−３側の第２の通信制御処理の概略的な流れの一例を示すフローチャートである。当該第２の通信制御処理は、統合測定結果がＵＥ２００−３からｅＮｏｄｅＢ１００−３に報告される場合の処理である。なお、第１の測定結果及び第２の測定結果が報告される場合の処理は図１９を参照して上述したとおりである。
【０２３７】
ステップＳ６４１で、情報取得部１６１は、ＣＣ及び拡張帯域を含む帯域におけるＵＥ２００−３による測定の結果である統合測定結果を取得する。
【０２３８】
ステップＳ６４３で、通信制御部１６３は、取得した測定結果に基づいて、セル１０内での無線通信を制御する。そして、処理はステップＳ６４１に戻る。
【０２３９】
（処理の流れ：ＵＥ側の第２の測定報告処理）
図２４は、第３の実施形態の変形例に係るＵＥ２００−３側の通信制御処理の概略的な流れの一例を示すフローチャートである。
【０２４０】
ステップＳ７４１で、測定制御部２８３及び／又は報告部２８５は、ＣＣにおける測定の結果である第１の測定結果と、拡張帯域における測定の結果である第２の測定結果とをそれぞれ報告することを、ＵＥ２００−３がｅＮｏｄｅＢ１００−３により指示されたかを判定する。第１の測定結果と第２の測定結果とを報告することをＵＥ２００−３がｅＮｏｄｅＢ１００−３により指示された場合には、処理はステップＳ７１０及びＳ７２０へ進む。そうでなければ、処理はステップＳ７６０へ進む。
【０２４１】
ステップＳ７１０及びＳ７２０で、第１の測定報告処理が行われる。ステップＳ７１０は、図２０を参照して上述した処理であり、ステップＳ７２０は、図２１を参照して上述した処理である。
【０２４２】
ステップＳ７６０で、第２の測定報告処理が行われる。
【０２４３】
（処理の流れ：ＵＥ側の第２の測定報告処理）
図２５は、第３の実施形態の変形例に係るＵＥ２００−３側の第２の測定報告処理の概略的な流れの一例を示すフローチャートである。
【０２４４】
ステップＳ７６１で、測定部２８１は、ＣＣ及び拡張帯域を含む帯域における第３の期間での測定を行う。
【０２４５】
ステップＳ７６３で、報告部２８５は、統合測定結果（ＣＣ及び拡張帯域を含む帯域における測定の結果）の報告をトリガするいずれかのイベントが発生したかを判定する。当該いずれかのイベントが発生していれば、処理はステップＳ７６５へ進む。そうでなければ、処理はステップＳ７６１へ戻る。
【０２４６】
ステップＳ７６５で、報告部２８５は、無線通信部２２０を介して、統合測定結果（ＣＣ及び拡張帯域を含む帯域における測定の結果）をｅＮｏｄｅＢ１００−３に報告する。そして、処理はステップＳ７６１へ戻る。
【０２４７】
なお、上記第３の期間は、例えば、上記第１の期間と同様である。また、統合測定結果の報告をトリガする上記いずれかのイベントは、例えば、第１の測定結果の報告をトリガする上記いずれかのイベントと同様である。
【０２４８】
以上、第３の実施形態の変形例を説明した。当該変形例によれば、ｅＮｏｄｅＢ１００−１の制御により、報告の単位を変えることができる。そのため、例えば、より柔軟に報告の手法を採用することが可能になる。
【０２４９】
＜＜＜６．第４の実施形態＞＞＞
続いて、図２６〜図３４を参照して、本開示の第４の実施形態を説明する。
【０２５０】
上述したように、事業者に割り当てられた周波数帯域のうちのコンポーネントキャリア（ＣＣ）以外の拡張帯域においてもＵＥが無線通信を行う場合には、当該拡張帯域も使用される帯域である以上、ＵＥが当該拡張帯域においても測定を行うことが考えられる。しかし、その場合に、ＵＥは、ＣＣ及び拡張帯域（即ち、より広い帯域）において測定を行うことになる。その結果、ＵＥにとっての測定の負荷が増加し得る。
【０２５１】
そこで、本開示の第１の実施形態では、割り当てられた周波数帯域が有効に利用される場合（即ち、拡張帯域も利用される場合）にＵＥによる測定の負荷を抑えることが可能になる。具体的には、第１の実施形態では、上記拡張帯域における上記制御信号の送信の制御が行われる。
【０２５２】
＜＜６．１．ｅＮｏｄｅＢの構成＞＞
まず、図２６及び図２７を参照して、第４の実施形態に係るｅＮｏｄｅＢ１００−４の概略的な構成を説明する。図２６は、第４の実施形態に係るｅＮｏｄｅＢ１００−４の構成の一例を示すブロック図である。図２６を参照すると、ｅＮｏｄｅＢ１００−４は、アンテナ部１１０、無線通信部１２０、ネットワーク通信部１３０、記憶部１４０及び処理部１７０を含む。
【０２５３】
ここで、アンテナ部１１０、無線通信部１２０、ネットワーク通信部１３０及び記憶部１４０については、第１の実施形態と第３の実施形態との間に差異はない。よって、ここでは、処理部１７０を説明する。
【０２５４】
（処理部１７０）
処理部１７０は、ｅＮｏｄｅＢ１００−４の様々な機能を提供する。処理部１７０は、情報取得部１７１及び通信制御部１７３を含む。
【０２５５】
（情報取得部１７１）
情報取得部１５１は、事業者に割り当てられた周波数帯域のうちのコンポーネントキャリア（所定帯域幅の帯域）以外の拡張帯域におけるＵＥによる測定の実行に関連する測定関連情報を取得する。
【０２５６】
とりわけ第４の実施形態では、上記測定関連情報は、ＵＥによる測定に用いられる制御信号の送信に関する設定情報である。例えば、当該制御信号は、ＣＲＳ及び／又はＣＳＩ−ＲＳを含む。
【０２５７】
例えば、上記測定関連情報は、制御信号を送信する位置（無線リソース）を示す設定情報である。一例として、上記測定関連情報は、ＣＣにおいて上記制御信号を送信するアンテナポート、及び拡張帯域において上記制御信号を送信するアンテナポートを示す情報である。
【０２５８】
（通信制御部１７３）
通信制御部１７３は、セル１０内での無線通信を制御する。
【０２５９】
とりわけ、本開示の実施形態では、通信制御部１７３は、上記測定関連情報に基づいて、上記拡張帯域におけるＵＥによる測定に関連する制御（以下、「測定関連制御」と呼ぶ）を行う。
【０２６０】
−制御信号の送信の制御
また、とりわけ第４の実施形態では、上記測定関連制御は、上記拡張帯域における上記制御信号の送信の制御（以下、「制御信号送信制御」と呼ぶ）を含む。即ち、通信制御部１７３は、上記拡張帯域における上記制御信号の送信の制御（即ち、制御信号送信制御）を行う。例えば、通信制御部１７３は、上記測定関連情報に基づいて、制御信号送信制御を行う。
【０２６１】
また、例えば、上記制御信号送信制御は、上記拡張帯域において送信される上記制御信号の密度が、ＣＣにおいて送信される上記制御信号の密度と異なるように、上記制御信号の送信を制御することを含む。より具体的には、例えば、上記制御信号送信制御は、上記拡張帯域において送信される上記制御信号の密度が、ＣＣにおいて送信される上記制御信号の密度よりも低くなるように、上記制御信号の送信を制御することを含む。
【０２６２】
さらに具体的には、例えば、上記制御信号送信制御は、ＣＣにおいて上記制御信号が送信されるアンテナポートの数よりも小さい数のアンテナポートで、上記拡張帯域において上記制御信号が送信されるように、上記制御信号の送信を制御することを含む。即ち、通信制御部１７３は、第１の数のアンテナポートでＣＣにおいて上記制御信号が送信され、上記第１の数よりも小さい第２の数のアンテナポートで拡張帯域において上記制御信号が送信されるように、上記制御信号の送信を制御する。例えば、通信制御部１７３は、無線通信部１２０に、このように制御信号を送信させる。以下、この点について、図２７を参照して具体例を説明する。
【０２６３】
図２７は、各帯域において制御信号を送信するアンテナポートの例を説明するための説明図である。図２７を参照すると、５ＭＨｚのＣＣ及び０．５ＭＨｚの２つの拡張帯域が示されている。この例では、ＣＣでは、アンテナポート０〜３の４つのアンテナポートで上記制御信号が送信される。また、拡張帯域では、アンテナポート０のみで上記制御信号が送信される。このように、拡張帯域では、より少ない数のアンテナポートで上記制御信号が送信される。
【０２６４】
このような制御信号の送信の制御により、測定に用いられる制御信号の数が減少する。これにより、例えば、拡張帯域も利用される場合にＵＥによる測定の負荷を抑えることが可能になる。また、例えば、測定に用いられる制御信号によるオーバーヘッドが抑えられる。
【０２６５】
−その他の制御
例えば、通信制御部１７３は、制御信号が送信される位置（無線リソース）を示す情報をＵＥ２００−４に通知する。一例として、上記情報は、ＣＣにおいて上記制御信号を送信するアンテナポート、及び拡張帯域において上記制御信号を送信するアンテナポートを示す情報である。例えば、通信制御部１７３は、システム情報により、上記情報をＵＥ２００−４に通知する。なお、通信制御部１７３は、いずれかのシグナリング（Ｃｏｎｎｅｃｔｉｏｎ  Ｓｅｔｕｐの際のシグナリング、ＲＲＣシグナリング、等）により、上記情報をＵＥ２００−４に通知してもよい。
【０２６６】
＜＜６．２．ＵＥの構成＞＞
まず、図２８を参照して、第４の実施形態に係るＵＥ２００−４の概略的な構成を説明する。図２８は、第４の実施形態に係るＵＥ２００−４の構成の一例を示すブロック図である。図２８を参照すると、ＵＥ２００−４は、アンテナ部２１０、無線通信部２２０、記憶部２３０、入力部２４０、表示部２５０及び処理部２９０を含む。
【０２６７】
ここで、アンテナ部２１０、無線通信部２２０、記憶部２３０、入力部２４０及び表示部２５０、並びに、処理部２９０に含まれる帯域認識部２６１及び表示制御部２６９については、第１の実施形態と第４の実施形態との間に差異はない。よって、ここでは、処理部２９０のうちの測定部２９１、測定制御部２９３及び報告部２９５を説明する。
【０２６８】
（測定部２９１）
測定部２９１は、事業者に割り当てられた周波数帯域における測定を行う。
【０２６９】
例えば、上記測定は、伝送路の品質の測定である。より具体的には、例えば、当該測定は、ＲＳＲＰ及び／又はＲＳＳＱの測定である。この場合に、測定部２９１は、制御信号を用いてＲＳＲＰを測定する。即ち、測定部２９１は、当該制御信号の受信電力を平均化することにより、ＲＳＲＰを測定する。例えば、上記制御信号は、ＣＲＳ及び／又はＣＳＩ−ＲＳを含む。
【０２７０】
また、測定部２９１は、測定制御部２９３による制御に応じて上記測定を行う。例えば、測定部２９１は、測定制御部２９３により指定される無線リソースで送信される制御信号を用いた測定を行う。
【０２７１】
（測定制御部２９３）
測定制御部２９３は、ＵＥ２００−４による測定の実行を制御する。
【０２７２】
とりわけ第４の実施形態では、上記拡張帯域において送信される上記制御信号の密度が、ＣＣにおいて送信される上記制御信号の密度と異なる。より具体的には、例えば、上記拡張帯域において送信される上記制御信号の密度は、ＣＣにおいて送信される上記制御信号の密度よりも低くなる。そして、測定制御部２９３は、少なくとも、ＣＣにおいて送信される上記制御信号を用いてＣＣにおける測定を行うように、ＵＥ２００−４による測定の実行を制御する。
【０２７３】
さらに具体的には、例えば、ＣＣにおいて上記制御信号が送信されるアンテナポートの数よりも小さい数のアンテナポートで、上記拡張帯域において上記制御信号が送信される。そして、測定制御部２９３は、ＣＣにおいて送信される上記制御信号を用いてＣＣにおける測定を行い、上記拡張帯域において送信される上記制御信号を用いて上記拡張帯域における測定を行うように、ＵＥ２００−４による測定の実行を制御する。即ち、測定制御部２９３は、このような測定を行うように測定部２９１を制御する。
【０２７４】
なお、例えば、ｅＮｏｄｅＢ１００−４は、制御信号が送信される位置（無線リソース）を示す情報をＵＥ２００−４に通知する。一例として、上記情報は、ＣＣにおいて上記制御信号を送信するアンテナポート、及び拡張帯域において上記制御信号を送信するアンテナポートを示す情報である。そして、測定制御部２９３は、無線通信部２２０を介して、当該情報を取得し、ＣＣにおいて上記制御信号を送信するアンテナポートと、拡張帯域において上記制御信号を送信するアンテナポートとを知得する。そして、測定制御部２９３は、ＣＣにおいて上記制御信号を送信するアンテナポートに対応する無線リソースと、拡張帯域において上記制御信号を送信するアンテナポートに対応する無線リソースとを指定することにより、測定部２９１に測定を行わせる。
【０２７５】
（報告部２９５）
報告部２９５は、ＵＥ２００−４による測定結果をｅＮｏｄｅＢ１００−４に報告する。
【０２７６】
例えば、当該測定結果は、ＲＳＲＰ及び／又はＲＳＳＱを含む。即ち、報告部２６７は、無線通信部２２０を介して、ＲＳＲＰ及び／又はＲＳＳＱ等をｅＮｏｄｅＢ１００−４に報告する。
【０２７７】
なお、報告部２９５は、アンテナポートごとの測定結果をｅＮｏｄｅＢ１００−４に報告してもよい。この場合に、ＣＣ及び拡張帯域において制御信号を送信するアンテナポートについての測定結果は、ＣＣ及び拡張帯域を含む帯域における測定の結果（統合測定結果）であってもよく、ＣＣにおける測定の結果（第１の測定結果）及び拡張帯域における測定の結果（第２の測定結果）であってもよい。
【０２７８】
また、報告部２９５は、ＣＣにおける測定の結果及び拡張帯域における測定の結果をぞれぞれｅＮｏｄｅＢ１００−４に報告してもよい。この場合に、ＣＣにおける測定結果は、アンテナポートごとの測定結果であってもよく、全アンテナポートについての測定結果であってもよい。例えば、拡張帯域における測定が行われない場合に、ＣＣにおける測定結果が、全アンテナポートについての測定結果であってもよい。
【０２７９】
＜＜６．３．処理の流れ＞＞
次に、図２９〜図３１を参照して、第４の実施形態に係る通信制御処理の例を説明する。
【０２８０】
（ｅＮｏｄｅＢ側の第１の通信制御処理）
図２９は、第４の実施形態に係るｅＮｏｄｅＢ１００−４側の第１の通信制御処理の概略的な流れの一例を示すフローチャートである。当該第１の通信制御処理は、制御信号の送信に関する処理である。
【０２８１】
ステップＳ１００１で、情報取得部１７１は、ＵＥによる測定に用いられる制御信号の送信に関する設定情報（測定関連情報）を取得する。当該設定情報は、ＣＣにおいて上記制御信号を送信するアンテナポート、及び拡張帯域において上記制御信号を送信するアンテナポートを示す情報である。
【０２８２】
ステップＳ１００３で、通信制御部１７３は、上記設定情報から、ＣＣにおいて上記制御信号を送信するアンテナポート、及び拡張帯域において上記制御信号を送信するアンテナポートを認識する。
【０２８３】
ステップＳ１００５で、通信制御部１７３は、無線通信部１２０に、ＣＣ及び拡張帯域の各々において、認識されたアンテナポートで上記制御信号を送信させる。そして、処理はステップＳ１００５を繰り返す。
【０２８４】
（ｅＮｏｄｅＢ側の第２の通信制御処理）
図３０は、第４の実施形態に係るｅＮｏｄｅＢ１００−４側の第２の通信制御処理の概略的な流れの一例を示すフローチャートである。当該第２の通信制御処理は、制御信号が送信される位置（無線リソース）を示す情報の通知に関する処理である。
【０２８５】
ステップＳ１０２１で、情報取得部１７１は、ＵＥによる測定に用いられる制御信号の送信に関する設定情報（測定関連情報）を取得する。当該設定情報は、ＣＣにおいて上記制御信号を送信するアンテナポート、及び拡張帯域において上記制御信号を送信するアンテナポートを示す情報である。
【０２８６】
ステップＳ１０２３で、通信制御部１７３は、上記設定情報から、ＣＣにおいて上記制御信号を送信するアンテナポート、及び拡張帯域において上記制御信号を送信するアンテナポートを認識する。
【０２８７】
ステップＳ１０２５で、通信制御部１７３は、制御信号が送信される位置（無線リソース）を示す情報として、ＣＣにおいて上記制御信号を送信するアンテナポート、及び拡張帯域において上記制御信号を送信するアンテナポートを、ＵＥ２００−４に通知する。そして、処理はステップＳ１０２５を繰り返す。
【０２８８】
（ＵＥ側の通信制御処理）
図３１は、第４の実施形態に係るＵＥ２００−４側の通信制御処理の概略的な流れの一例を示すフローチャートである。
【０２８９】
ステップＳ１１０１で、測定制御部２９３は、制御信号が送信される位置（無線リソース）を示す情報として、ＣＣにおいて上記制御信号を送信するアンテナポート、及び拡張帯域において上記制御信号を送信するアンテナポートを示す通知情報を取得する。
【０２９０】
ステップＳ１１０３で、測定制御部２９３は、ＣＣにおいて上記制御信号を送信するアンテナポート、及び拡張帯域において上記制御信号を送信するアンテナポートを認識する。
【０２９１】
ステップＳ１１０５で、測定制御部２９３は、ＣＣ及び拡張帯域の各々において、認識されたアンテナポートで送信される制御信号を用いた測定を行うように、測定部２９１を制御する。そして、処理はステップＳ１１０５を繰り返す。なお、測定結果の報告をトリガするイベントが発生した場合には、測定結果が報告される。
【０２９２】
＜＜６．４．変形例＞＞
次に、図３２〜図３４を参照して、第４の実施形態の変形例を説明する。
【０２９３】
第４の実施形態の変形例では、拡張帯域において、測定に用いられる制御信号が送信されない。
【０２９４】
（ｅＮｏｄｅＢの構成：情報取得部１７１）
上述したように、上記測定関連情報は、ＵＥによる測定に用いられる制御信号の送信に関する設定情報である。
【０２９５】
また、上述したように、例えば、上記測定関連情報は、制御信号を送信する位置（無線リソース）を示す設定情報である。とりわけ第４の実施形態の変形例では、一例として、上記測定関連情報は、上記制御信号が送信される帯域を示す情報である。この場合に、例えば、上記測定関連情報は、ＣＣを示す情報、又は、ＣＣ及び拡張帯域を示す情報のいずれかである。
【０２９６】
（ｅＮｏｄｅＢの構成：通信制御部１７３）
−制御信号の送信の制御
上述したように、とりわけ第４の実施形態では、上記測定関連制御は、上記拡張帯域における上記制御信号の送信の制御（以下、「制御信号送信制御」と呼ぶ）を含む。即ち、通信制御部１７３は、上記拡張帯域における上記制御信号の送信の制御（即ち、制御信号送信制御）を行う。例えば、通信制御部１７３は、上記測定関連情報に基づいて、制御信号送信制御を行う。
【０２９７】
また、上述したように、例えば、上記制御信号送信制御は、上記拡張帯域において送信される上記制御信号の密度が、ＣＣにおいて送信される上記制御信号の密度よりも低くなるように、上記制御信号の送信を制御することを含む。
【０２９８】
とりわけ第４の実施形態の変形例では、上記制御信号送信制御は、上記拡張帯域において上記制御信号が送信されないように、上記制御信号の送信を制御することを含む。即ち、通信制御部１７３は、ＣＣにおいて上記制御信号が送信され、上記拡張帯域において上記制御信号が送信されないように、上記制御信号の送信を制御する。例えば、通信制御部１７３は、無線通信部１２０に、このように制御信号を送信させる。
【０２９９】
このような制御信号の送信の制御により、拡張帯域における測定が行われなくなる。これにより、例えば、拡張帯域も利用される場合にＵＥによる測定の負荷を抑えることが可能になる。また、例えば、測定に用いられる制御信号によるオーバーヘッドが抑えられる。
【０３００】
−その他の制御
例えば、通信制御部１７３は、上記制御信号が送信される帯域を示す情報をＵＥ２００−４に通知する。例えば、当該情報は、ＣＣを示す情報、又は、ＣＣ及び拡張帯域を示す情報のいずれかである。例えば、通信制御部１７３は、システム情報により、上記情報をＵＥ２００−４に通知する。なお、通信制御部１７３は、いずれかのシグナリング（Ｃｏｎｎｅｃｔｉｏｎ  Ｓｅｔｕｐの際のシグナリング、ＲＲＣシグナリング、等）により、上記情報をＵＥ２００−４に通知してもよい。
【０３０１】
（ＵＥの構成：測定部２９１）
上述したように、測定部２９１は、測定制御部２９３による制御に応じて上記測定を行う。
【０３０２】
とりわけ第４の実施形態の変形例では、例えば、測定部２９１は、測定制御部２９３により指定される帯域における測定を行う。具体的には、測定部２９１は、ＣＣにおける測定を行い、又はＣＣ及び拡張帯域における測定を行う。
【０３０３】
（ＵＥの構成：測定制御部２９３）
上述したように、上記拡張帯域において送信される上記制御信号の密度は、ＣＣにおいて送信される上記制御信号の密度よりも低くなる。そして、測定制御部２９３は、少なくとも、ＣＣにおいて送信される上記制御信号を用いてＣＣにおける測定を行うように、ＵＥ２００−４による測定の実行を制御する。
【０３０４】
とりわけ第４の実施形態の変形例では、例えば、上記拡張帯域において上記制御信号が送信されないように、上記拡張帯域において上記制御信号が送信されない。この場合に、測定制御部２９３は、ＣＣにおいて送信される上記制御信号を用いてＣＣにおける測定を行い、拡張帯域において測定を行わないように、ＵＥ２００−４による測定の実行を制御する。即ち、測定制御部２９３は、このような測定を行うように測定部２９１を制御する。
【０３０５】
なお、例えば、ｅＮｏｄｅＢ１００−４は、上記制御信号が送信される帯域を示す情報をＵＥ２００−４に通知する。一例として、上記情報は、ＣＣを示す情報、又はＣＣ及び拡張帯域を示す情報である。そして、測定制御部２９３は、無線通信部２２０を介して、当該情報を取得し、制御信号が送信される帯域がＣＣであるか又はＣＣ及び拡張帯域であるかを知得する。そして、測定制御部２９３は、上記制御信号が送信される帯域（ＣＣ、又は、ＣＣ及び拡張帯域）を指定することにより、測定部２９１に測定を行わせる。
【０３０６】
（ＵＥの構成：報告部２９５）
とりわけ第４の実施形態の変形例では、拡張帯域における測定が行われない場合に、報告部２９５は、ＣＣにおける測定の結果を報告する。
【０３０７】
また、拡張帯域における測定が行われる場合には、ＣＣ及び拡張帯域における測定の結果を報告する。この場合に、ＣＣにおける測定の結果（第１の測定結果）と、拡張帯域における測定の結果（第２の測定結果）とが、それぞれ報告されてもよく、ＣＣ及び拡張帯域を含む帯域における測定の結果（統合測定結果）が報告されてもよい。
【０３０８】
（処理の流れ：ｅＮｏｄｅＢ側の第１の通信制御処理）
図３２は、第４の実施形態の変形例に係るｅＮｏｄｅＢ１００−４側の第１の通信制御処理の概略的な流れの一例を示すフローチャートである。当該第１の通信制御処理は、制御信号の送信に関する処理である。
【０３０９】
ステップＳ１０４１で、情報取得部１７１は、ＵＥによる測定に用いられる制御信号の送信に関する設定情報（測定関連情報）を取得する。当該設定情報は、上記制御信号が送信される帯域を示す情報である。この場合に、例えば、上記測定関連情報は、ＣＣを示す情報、又は、ＣＣ及び拡張帯域を示す情報のいずれかである。
【０３１０】
ステップＳ１０４３で、通信制御部１７３は、上記測定関連情報がＣＣ及び拡張帯域を示す情報であるかを判定する。上記測定関連情報がＣＣ及び拡張帯域を示す情報である場合には、処理はステップＳ１０４５へ進む。そうでなければ、処理はステップＳ１０４７へ進む。
【０３１１】
ステップＳ１０４５で、通信制御部１７３は、無線通信部１２０に、ＣＣ及び拡張帯域において上記制御信号を送信させる。そして、処理はステップＳ１０４５を繰り返す。
【０３１２】
ステップＳ１０４７で、通信制御部１７３は、無線通信部１２０に、ＣＣにおいて上記制御信号を送信させる。なお、通信制御部１７３は、無線通信部１２０に、拡張帯域において上記制御信号を送信させない。そして、処理はステップＳ１０４７を繰り返す。
【０３１３】
（処理の流れ：ｅＮｏｄｅＢ側の第２の通信制御処理）
図３３は、第４の実施形態の変形例に係るｅＮｏｄｅＢ１００−４側の第２の通信制御処理の概略的な流れの一例を示すフローチャートである。当該第２の通信制御処理は、制御信号が送信される帯域を示す情報の通知に関する処理である。
【０３１４】
ステップＳ１０６１で、情報取得部１７１は、ＵＥによる測定に用いられる制御信号の送信に関する設定情報（測定関連情報）を取得する。当該設定情報は、上記制御信号が送信される帯域を示す情報である。この場合に、例えば、上記測定関連情報は、ＣＣを示す情報、又は、ＣＣ及び拡張帯域を示す情報のいずれかである。
【０３１５】
ステップＳ１０６３で、通信制御部１７３は、上記測定関連情報がＣＣ及び拡張帯域を示す情報であるかを判定する。上記測定関連情報がＣＣ及び拡張帯域を示す情報である場合には、処理はステップＳ１０６５へ進む。そうでなければ、処理はステップＳ１０６７へ進む。
【０３１６】
ステップＳ１０６５で、通信制御部１７３は、上記制御信号が送信される帯域を示す情報として、ＣＣ及び拡張帯域を示す情報を所定の手段で通知する。そして、処理はステップＳ１０６５を繰り返す。
【０３１７】
ステップＳ１０６７で、通信制御部１７３は、上記制御信号が送信される帯域を示す情報として、ＣＣを示す情報を所定の手段で通知する。そして、処理はステップＳ１０６７を繰り返す。
【０３１８】
（処理の流れ：ＵＥ側の通信制御処理）
図３４は、第４の実施形態の変形例に係るＵＥ２００−４側の通信制御処理の概略的な流れの一例を示すフローチャートである。
【０３１９】
ステップＳ１１２１で、測定制御部２９３は、制御信号が送信される帯域を示す情報を取得する。当該情報は、ＣＣを示す情報、又はＣＣ及び拡張帯域を示す情報である。
【０３２０】
ステップＳ１１２３で、測定制御部２９３は、制御信号が送信される帯域がＣＣ及び拡張帯域であるかを判定する。制御信号が送信される帯域がＣＣ及び拡張帯域であれば、処理はステップＳ１１２５へ進む。そうでなければ、処理はステップＳ１１２７へ進む。
【０３２１】
ステップＳ１１２５で、測定制御部２９３は、ＣＣ及び拡張帯域における測定を行うように、測定部２９１を制御する。そして、処理はステップＳ１１２５を繰り返す。
【０３２２】
ステップＳ１１２７で、測定制御部２９３は、ＣＣにおける測定を行うように、測定部２９１を制御する。そして、処理はステップＳ１１２７を繰り返す。
【０３２３】
以上、第４の実施形態を説明したが、第４の実施形態は上述した例に限定されない。
【０３２４】
例えば、上記拡張帯域において送信される上記制御信号の密度がＣＣにおいて送信される上記制御信号の密度と異なる例を説明した。そして、一例として、ＣＣにおいて上記制御信号が送信されるアンテナポートの数よりも小さい数のアンテナポートで上記拡張帯域において上記制御信号が送信される例を説明したが、第４の実施形態は係る例に限定されない。例えば、同一のアンテナポートで送信される上記制御信号の密度が、ＣＣにおいてよりも上記拡張帯域においてより低くてもよい。当該密度は、周波数方向における密度であってもよく、時間方向における密度であってもよく、又は、周波数方向及び時間方向における密度であってもよい。
【０３２５】
また、例えば、上記拡張帯域において送信される上記制御信号の密度がＣＣにおいて送信される上記制御信号の密度よりも低くなる例を説明したが、第４の実施形態は係る例に限定されない。例えば、上記拡張帯域において送信される上記制御信号の密度がＣＣにおいて送信される上記制御信号の密度よりも高くなるように、上記制御信号の送信が制御されてもよい。これにより、より帯域幅が狭い拡張帯域の制御信号の数を増やすことができるので、より信頼性の高い測定結果をより短時間で得ることが可能になる。
【０３２６】
＜＜＜７．応用例＞＞＞
本開示に係る技術は、様々な製品へ応用可能である。例えば、ｅＮｏｄｅＢ１００は、マクロｅＮｏｄｅＢ又はスモールｅＮｏｄｅＢなどのいずれかの種類のｅＮｏｄｅＢとして実現されてもよい。スモールｅＮｏｄｅＢは、ピコｅＮｏｄｅＢ、マイクロｅＮｏｄｅＢ又はホーム（フェムト）ｅＮｏｄｅＢなどの、マクロセルよりも小さいセルをカバーするｅＮｏｄｅＢであってよい。ｅＮｏｄｅＢ１００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、ｅＮｏｄｅＢ１００として動作してもよい。
【０３２７】
また、例えば、ＵＥ２００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、ＵＥ２００は、Ｍ２Ｍ（Machine  To  Machine）通信を行う端末（ＭＴＣ（Machine  Type  Communication）端末ともいう）として実現されてもよい。さらに、ＵＥ２００の少なくとも一部の構成要素は、これら端末に搭載されるモジュール（例えば、１つのダイで構成される集積回路モジュール）として実現されてもよい。
【０３２８】
＜＜７．１．ｅＮｏｄｅＢに関する応用例＞＞
（第１の応用例）
図３５は、本開示に係る技術が適用され得るｅＮｏｄｅＢの概略的な構成の第１の例を示すブロック図である。ｅＮｏｄｅＢ８００は、１つ以上のアンテナ８１０、及び基地局装置８２０を有する。各アンテナ８１０及び基地局装置８２０は、ＲＦケーブルを介して互いに接続され得る。
【０３２９】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮｏｄｅＢ８００は、図３５に示したように複数のアンテナ８１０を有し、複数のアンテナ８１０は、例えばｅＮｏｄｅＢ８００が使用する複数の周波数帯域にそれぞれ対応してもよい。なお、図３５にはｅＮｏｄｅＢ８００が複数のアンテナ８１０を有する例を示したが、ｅＮｏｄｅＢ８００は単一のアンテナ８１０を有してもよい。
【０３３０】
基地局装置８２０は、コントローラ８２１、メモリ８２２、ネットワークインタフェース８２３及び無線通信インタフェース８２５を備える。
【０３３１】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮｏｄｅＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０３３２】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮｏｄｅＢと通信してもよい。その場合に、ｅＮｏｄｅＢ８００と、コアネットワークノード又は他のｅＮｏｄｅＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０３３３】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮｏｄｅＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０３３４】
無線通信インタフェース８２５は、図３５に示したように複数のＢＢプロセッサ８２６を含み、複数のＢＢプロセッサ８２６は、例えばｅＮｏｄｅＢ８００が使用する複数の周波数帯域にそれぞれ対応してもよい。また、無線通信インタフェース８２５は、図３５に示したように複数のＲＦ回路８２７を含み、複数のＲＦ回路８２７は、例えば複数のアンテナ素子にそれぞれ対応してもよい。なお、図３５には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０３３５】
図３５に示したｅＮｏｄｅＢ８００において、図６を参照して説明した情報取得部１５１及び通信制御部１５３は、無線通信インタフェース８２５において実装されてもよい。あるいは、これらの構成要素の少なくとも一部は、コントローラ８２１において実装されてもよい。一例として、ｅＮｏｄｅＢ８００は、無線通信インタフェース８２５の一部（例えば、ＢＢプロセッサ８２６）若しくは全部、及び／又コントローラ８２１を含むモジュールを搭載し、当該モジュールにおいて情報取得部１５１及び通信制御部１５３が実装されてもよい。この場合に、上記モジュールは、プロセッサを情報取得部１５１及び通信制御部１５３として機能させるためのプログラム（換言すると、プロセッサに情報取得部１５１及び通信制御部１５３の動作を実行させるためのプログラム）を記憶し、当該プログラムを実行してもよい。別の例として、プロセッサを情報取得部１５１及び通信制御部１５３として機能させるためのプログラムがｅＮｏｄｅＢ８００にインストールされ、無線通信インタフェース８２５（例えば、ＢＢプロセッサ８２６）及び／又コントローラ８２１が当該プログラムを実行してもよい。以上のように、情報取得部１５１及び通信制御部１５３を備える装置としてｅＮｏｄｅＢ８００、基地局装置８２０又は上記モジュールが提供されてもよく、プロセッサを情報取得部１５１及び通信制御部１５３として機能させるためのプログラムが提供されてもよい。また、上記プログラムを記憶した読み取り可能な記憶媒体が提供されてもよい。これらの点については、図１４を参照して説明した情報取得部１６１及び通信制御部１６３、並びに、図２６を参照して説明した情報取得部１７１及び通信制御部１７３も、情報取得部１５１及び通信制御部１５３と同様である。
【０３３６】
また、図３５に示したｅＮｏｄｅＢ８００において、図６を参照して説明した無線通信部１２０は、無線通信インタフェース８２５（例えば、ＲＦ回路８２７）において実装されてもよい。また、図６を参照して説明したアンテナ部１１０は、アンテナ８１０において実装されてもよい。また、図６を参照して説明したネットワーク通信部１３０は、コントローラ８２１及び／又はネットワークインタフェース８２３において実装されてもよい。
【０３３７】
（第２の応用例）
図３６は、本開示に係る技術が適用され得るｅＮｏｄｅＢの概略的な構成の第２の例を示すブロック図である。ｅＮｏｄｅＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０３３８】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮｏｄｅＢ８３０は、図３６に示したように複数のアンテナ８４０を有し、複数のアンテナ８４０は、例えばｅＮｏｄｅＢ８３０が使用する複数の周波数帯域にそれぞれ対応してもよい。なお、図３６にはｅＮｏｄｅＢ８３０が複数のアンテナ８４０を有する例を示したが、ｅＮｏｄｅＢ８３０は単一のアンテナ８４０を有してもよい。
【０３３９】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図３５を参照して説明したコントローラ８２１、メモリ８２２及びネットワークインタフェース８２３と同様のものである。
【０３４０】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図３５を参照して説明したＢＢプロセッサ８２６と同様のものである。無線通信インタフェース８５５は、図３６に示したように複数のＢＢプロセッサ８５６を含み、複数のＢＢプロセッサ８５６は、例えばｅＮｏｄｅＢ８３０が使用する複数の周波数帯域にそれぞれ対応してもよい。なお、図３６には無線通信インタフェース８５５が複数のＢＢプロセッサ８５６を含む例を示したが、無線通信インタフェース８５５は単一のＢＢプロセッサ８５６を含んでもよい。
【０３４１】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０３４２】
また、ＲＲＨ８６０は、接続インタフェース８６１及び無線通信インタフェース８６３を備える。
【０３４３】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０３４４】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図３６に示したように複数のＲＦ回路８６４を含み、複数のＲＦ回路８６４は、例えば複数のアンテナ素子にそれぞれ対応してもよい。なお、図３６には無線通信インタフェース８６３が複数のＲＦ回路８６４を含む例を示したが、無線通信インタフェース８６３は単一のＲＦ回路８６４を含んでもよい。
【０３４５】
図３６に示したｅＮｏｄｅＢ８３０において、図６を参照して説明した情報取得部１５１及び通信制御部１５３は、無線通信インタフェース８５５及び／又は無線通信インタフェース８６３において実装されてもよい。あるいは、これらの構成要素の少なくとも一部は、コントローラ８５１において実装されてもよい。一例として、ｅＮｏｄｅＢ８３０は、無線通信インタフェース８５５の一部（例えば、ＢＢプロセッサ８５６）若しくは全部、及び／又コントローラ８５１を含むモジュールを搭載し、当該モジュールにおいて情報取得部１５１及び通信制御部１５３が実装されてもよい。この場合に、上記モジュールは、プロセッサを情報取得部１５１及び通信制御部１５３として機能させるためのプログラム（換言すると、プロセッサに情報取得部１５１及び通信制御部１５３の動作を実行させるためのプログラム）を記憶し、当該プログラムを実行してもよい。別の例として、プロセッサを情報取得部１５１及び通信制御部１５３として機能させるためのプログラムがｅＮｏｄｅＢ８３０にインストールされ、無線通信インタフェース８５５（例えば、ＢＢプロセッサ８５６）及び／又コントローラ８５１が当該プログラムを実行してもよい。以上のように、情報取得部１５１及び通信制御部１５３を備える装置としてｅＮｏｄｅＢ８３０、基地局装置８５０又は上記モジュールが提供されてもよく、プロセッサを情報取得部１５１及び通信制御部１５３として機能させるためのプログラムが提供されてもよい。また、上記プログラムを記憶した読み取り可能な記憶媒体が提供されてもよい。これらの点については、図１４を参照して説明した情報取得部１６１及び通信制御部１６３、並びに、図２６を参照して説明した情報取得部１７１及び通信制御部１７３も、情報取得部１５１及び通信制御部１５３と同様である。
【０３４６】
また、図３６に示したｅＮｏｄｅＢ８３０において、図６を参照して説明した無線通信部１２０は、無線通信インタフェース８６３（例えば、ＲＦ回路８６４）において実装されてもよい。また、図６を参照して説明したアンテナ部１１０は、アンテナ８４０において実装されてもよい。また、図６を参照して説明したネットワーク通信部１３０は、コントローラ８５１及び／又はネットワークインタフェース８５３において実装されてもよい。
【０３４７】
＜＜７．２．ＵＥに関する応用例＞＞
（第１の応用例）
図３７は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０３４８】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０３４９】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０３５０】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図３７に示したように複数のＢＢプロセッサ９１３及び複数のＲＦ回路９１４を含んでもよい。なお、図３７には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０３５１】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０３５２】
アンテナスイッチ９１５の各々は、無線通信インタフェース９１２に含まれる複数の回路（例えば、異なる無線通信方式のための回路）の間でアンテナ９１６の接続先を切り替える。
【０３５３】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図３７に示したように複数のアンテナ９１６を有してもよい。なお、図３７にはスマートフォン９００が複数のアンテナ９１６を有する例を示したが、スマートフォン９００は単一のアンテナ９１６を有してもよい。
【０３５４】
さらに、スマートフォン９００は、無線通信方式ごとにアンテナ９１６を備えてもよい。その場合に、アンテナスイッチ９１５は、スマートフォン９００の構成から省略されてもよい。
【０３５５】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図３７に示したスマートフォン９００の各ブロックへ電力を供給する。補助コントローラ９１９は、例えば、スリープモードにおいて、スマートフォン９００の必要最低限の機能を動作させる。
【０３５６】
図３７に示したスマートフォン９００において、図７を参照して説明した処理部２６０に含まれる１つ以上の構成要素（例えば、帯域認識部２６１、測定部２６３、測定制御部２６５及び／又は報告部２６７）は、無線通信インタフェース９１２において実装されてもよい。あるいは、上記１つ以上の構成要素の少なくとも一部は、プロセッサ９０１又は補助コントローラ９１９において実装されてもよい。一例として、スマートフォン９００は、無線通信インタフェース９１２の一部（例えば、ＢＢプロセッサ９１３）若しくは全部、プロセッサ９０１、及び／又は補助コントローラ９１９を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがスマートフォン９００にインストールされ、無線通信インタフェース９１２（例えば、ＢＢプロセッサ９１３）、プロセッサ９０１、及び／又は補助コントローラ９１９が当該プログラムを実行してもよい。以上のように、上記１つ以上の構成要素を備える装置としてスマートフォン９００又は上記モジュールが提供されてもよく、プロセッサを上記１つ以上の構成要素として機能させるためのプログラムが提供されてもよい。また、上記プログラムを記憶した読み取り可能な記憶媒体が提供されてもよい。これらの点については、図１２を参照して説明した処理部２７０に含まれる１つ以上の構成要素（例えば、帯域認識部２６１、測定部２６３、測定制御部２７１及び／又は報告部２６７）、図１５を参照して説明した処理部２８０に含まれる１つ以上の構成要素（例えば、帯域認識部２６１、測定部２８１、測定制御部２８３及び／又は報告部２８５）、並びに、図２８を参照して説明した処理部２９０に含まれる１つ以上の構成要素（例えば、帯域認識部２６１、測定部２９１、測定制御部２９３及び／又は報告部２９５）も、処理部２６０に含まれる上記１つ以上の構成要素と同様である。
【０３５７】
また、図３７に示したスマートフォン９００において、図７を参照して説明した無線通信部２２０は、無線通信インタフェース９１２（例えば、ＲＦ回路９１４）において実装されてもよい。また、アンテナ部２１０は、アンテナ９１６において実装されてもよい。
【０３５８】
（第２の応用例）
図３８は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０３５９】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０３６０】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０３６１】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０３６２】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図３８に示したように複数のＢＢプロセッサ９３４及び複数のＲＦ回路９３５を含んでもよい。なお、図３８には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０３６３】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０３６４】
アンテナスイッチ９３６の各々は、無線通信インタフェース９３３に含まれる複数の回路（例えば、異なる無線通信方式のための回路）の間でアンテナ９３７の接続先を切り替える。
【０３６５】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図３８に示したように複数のアンテナ９３７を有してもよい。なお、図３８にはカーナビゲーション装置９２０が複数のアンテナ９３７を有する例を示したが、カーナビゲーション装置９２０は単一のアンテナ９３７を有してもよい。
【０３６６】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０３６７】
バッテリー９３８は、図中に破線で部分的に示した給電ラインを介して、図３８に示したカーナビゲーション装置９２０の各ブロックへ電力を供給する。また、バッテリー９３８は、車両側から給電される電力を蓄積する。
【０３６８】
図３８に示したカーナビゲーション装置９２０において、図７を参照して説明した処理部２６０に含まれる１つ以上の構成要素（例えば、帯域認識部２６１、測定部２６３、測定制御部２６５及び／又は報告部２６７）は、無線通信インタフェース９３３において実装されてもよい。あるいは、これらの構成要素の少なくとも一部は、プロセッサ９２１において実装されてもよい。一例として、カーナビゲーション装置９２０は、無線通信インタフェース９３３の一部（例えば、ＢＢプロセッサ９３４）若しくは全部及び／又はプロセッサ９２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがカーナビゲーション装置９２０にインストールされ、無線通信インタフェース９３３（例えば、ＢＢプロセッサ９３４）及び／又はプロセッサ９２１が当該プログラムを実行してもよい。以上のように、上記１つ以上の構成要素を備える装置としてカーナビゲーション装置９２０又は上記モジュールが提供されてもよく、プロセッサを上記１つ以上の構成要素として機能させるためのプログラムが提供されてもよい。また、上記プログラムを記憶した読み取り可能な記憶媒体が提供されてもよい。これらの点については、図１２を参照して説明した処理部２７０に含まれる１つ以上の構成要素（例えば、帯域認識部２６１、測定部２６３、測定制御部２７１及び／又は報告部２６７）、図１５を参照して説明した処理部２８０に含まれる１つ以上の構成要素（例えば、帯域認識部２６１、測定部２８１、測定制御部２８３及び／又は報告部２８５）、並びに、図２８を参照して説明した処理部２９０に含まれる１つ以上の構成要素（例えば、帯域認識部２６１、測定部２９１、測定制御部２９３及び／又は報告部２９５）も、処理部２６０に含まれる上記１つ以上の構成要素と同様である。
【０３６９】
また、図３８に示したカーナビゲーション装置９２０において、図７を参照して説明した無線通信部２２０は、無線通信インタフェース９３３（例えば、ＲＦ回路９３５）において実装されてもよい。また、アンテナ部２１０は、アンテナ９３７において実装されてもよい。
【０３７０】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。即ち、処理部２６０（又は、処理部２７０、処理部２８０若しくは処理部２９０）に含まれる上記１つ以上の構成要素を備える装置として車載システム（又は車両）９４０が提供されてもよい。車両側モジュール９４２は、車速、エンジン回転数又は故障情報などの車両側データを生成し、生成したデータを車載ネットワーク９４１へ出力する。
【０３７１】
＜＜＜８．まとめ＞＞＞
ここまで、図５〜図３８を参照して、本開示の実施形態に係るｅＮｏｄｅＢ１００及びＵＥ２００、並びに各通信制御処理を説明した。本開示に係る実施形態によれば、事業者に割り当てられた周波数帯域のうちのコンポーネントキャリア（所定帯域幅の帯域）以外の拡張帯域におけるＵＥによる測定の実行に関連する測定関連情報が取得される。そして、上記測定関連情報に基づいて、上記拡張帯域におけるＵＥによる測定に関連する制御（即ち、測定関連制御）が行われる。
【０３７２】
これにより、割り当てられた周波数帯域が有効に利用される場合（即ち、拡張帯域も利用される場合）に端末装置による測定の負荷を抑えることが可能になる。
【０３７３】
−第１の実施形態
例えば、第１の実施形態によれば、上記測定関連情報は、上記拡張帯域におけるＵＥによる測定の実行の有無に関する情報である。そして、上記測定関連制御は、上記拡張帯域におけるＵＥによる測定の実行の制御を含む。具体的には、例えば、上記測定関連制御は、上記拡張帯域において測定を行うこと又は測定を行わないことをＵＥ２００−１に指示することを含む。
【０３７４】
これにより、例えば、運用者が拡張帯域における測定が不要であると判断した場合にＵＥ２００に拡張帯域での測定を省略させることも可能になる。そのため、割り当てられた周波数帯域が有効に利用される場合（即ち、拡張帯域も利用される場合）にＵＥ２００による測定の負荷を抑えることが可能になる。
【０３７５】
また、第１の実施形態の変形例によれば、上記測定関連制御は、上記周波数帯域を通信に使用しているＵＥ２００が上記拡張帯域において測定を行わないように、上記拡張帯域において測定を行うこと、又は行わないことを、ＵＥ２００に指示することを含む。
【０３７６】
これにより、ＵＥによる測定の負荷を抑えることが可能になる。より具体的には、例えば、異なる周波数帯域間でのハンドオーバの頻度よりも、同一周波数帯域でのハンドオーバ（セル間ハンドオーバ）の頻度の方がより高い。そのため、異なる周波数帯域間でのハンドオーバのための測定（即ち、ＵＥが使用していない周波数帯域における測定）の負荷よりも、同一周波数帯域でのハンドオーバのための測定（即ち、ＵＥが使用している周波数帯域における測定）の負荷の方がより大きい。そのため、特に、ＵＥが使用している周波数帯域における測定を減らすことにより、ＵＥにより測定の負荷をより効果的に抑えることが可能になる。
【０３７７】
なお、既に使用している周波数帯域における測定の結果は継続して取得されているので、拡張帯域における測定まで行われなくても、ＣＣにおける測定が行われれば十分であることが多いと考えられる。一方、使用していない周波数帯域は、使用している周波数帯域の帯域幅と異なる帯域幅を有する場合（ＣＣ及び／又は拡張帯域が異なる場合）もあるので、ＣＣだけではなく拡張帯域も含む帯域の測定結果があることが望ましいと考えられる。そのため、上述したように、ＵＥが使用していない周波数帯域の拡張帯域における測定よりも、ＵＥが使用している周波数帯域の拡張帯域における測定が省略されることがより望ましいと考えられる。
【０３７８】
−第２の実施形態
また、第２の実施形態によれば、ＵＥ２００−２が無線リソースについてのアイドル状態である場合に、事業者に割り当てられた周波数帯域のうちのＣＣ（所定帯域幅の帯域）以外の拡張帯域における測定が行われないように、測定の実行が制御される。
【０３７９】
これにより、割り当てられた周波数帯域が有効に利用される場合（即ち、拡張帯域も利用される場合）にＵＥによる測定の負荷を抑えることが可能になる。より具体的には、例えば、とりわけＵＥがＲＲＣアイドル状態である場合にはＵＥの消費電力を可能な限り抑えたいという要望がある。そのため、このようにＲＲＣアイドル状態の場合に測定が省略されることにより、ＲＲＣアイドル状態の際のＵＥの測定の負荷が抑えられ、その結果、消費電力が抑えられる。また、例えば、ページングチャネルでの情報は、拡張帯域ではなく、ＣＣ（所定帯域幅の帯域）において送信されることも考えられる。この場合には、拡張帯域における品質よりもＣＣにおける品質が重要となるので、ＲＲＣアイドル状態の場合の測定の省略により、無駄な測定を減らすことが可能になる。
【０３８０】
−第３の実施形態
また、第３の実施形態によれば、ＣＣにおけるＵＥ２００−３による測定の結果である第１の測定結果と、拡張帯域におけるＵＥ２００−３による測定の結果である第２の測定結果とが、それぞれ取得される。
【０３８１】
これにより、ＣＣ（所定帯域幅の帯域）及び拡張帯域の各々における通信品質を考慮して無線通信を制御することが可能になる。一例として、ＵＥ２００に拡張帯域において無線通信を行わせるか否かを適切に判定することが可能になる。
【０３８２】
また、例えば、上記第１の測定結果は、ＣＣにおける第１の期間にわたる測定により得られる結果であり、上記第２の測定結果は、拡張帯域における第２の期間にわたる測定により得られる結果である。そして、上記第２の期間は、上記第１の期間よりも長い。
【０３８３】
このような測定期間により、ＣＣよりも帯域幅が狭い（即ち、測定に用いることが可能な制御信号の量がより少ない）拡張帯域についても信頼性の高い測定結果を得ることが可能になる。例えば、より多くの制御信号（例えば、ＣＲＳ及び／又はＣＳＩ−ＲＳ）の受信電力の平均化により、より信頼性の高いＲＳＲＰ及び／又はＲＳＲＱを得ることが可能になる。
【０３８４】
また、例えば、上記第２の測定結果の報告が行われる条件は、上記第１の測定結果の報告が行われる条件とは異なる。
【０３８５】
これにより、例えば、ＣＣにおける測定結果と、拡張帯域における測定結果とを、それぞれにより適したタイミングで報告することが可能になる。
【０３８６】
−第４の実施形態
また、第４の実施形態によれば、上記測定関連情報は、ＵＥによる測定に用いられる制御信号の送信に関する設定情報である。そして、上記測定関連制御は、上記拡張帯域における上記制御信号の送信の制御（即ち、制御信号送信制御）を含む。
【０３８７】
例えば、上記制御信号送信制御は、上記拡張帯域において送信される上記制御信号の密度が、ＣＣにおいて送信される上記制御信号の密度と異なるように、上記制御信号の送信を制御することを含む。より具体的には、例えば、上記制御信号送信制御は、上記拡張帯域において送信される上記制御信号の密度が、ＣＣにおいて送信される上記制御信号の密度よりも低くなるように、上記制御信号の送信を制御することを含む。
【０３８８】
一例として、上記制御信号送信制御は、ＣＣにおいて上記制御信号が送信されるアンテナポートの数よりも小さい数のアンテナポートで、上記拡張帯域において上記制御信号が送信されるように、上記制御信号の送信を制御することを含む。
【０３８９】
このような制御信号の送信の制御により、測定に用いられる制御信号の数が減少する。これにより、例えば、拡張帯域も利用される場合にＵＥによる測定の負荷を抑えることが可能になる。また、例えば、測定に用いられる制御信号によるオーバーヘッドが抑えられる。
【０３９０】
また、第４の実施形態の変形例によれば、上記制御信号送信制御は、上記拡張帯域において上記制御信号が送信されないように、上記制御信号の送信を制御することを含む。
【０３９１】
このような制御信号の送信の制御により、拡張帯域における測定が行われなくなる。これにより、例えば、拡張帯域も利用される場合にＵＥによる測定の負荷を抑えることが可能になる。また、例えば、測定に用いられる制御信号によるオーバーヘッドが抑えられる。
【０３９２】
以上、添付図面を参照しながら本開示の好適な実施形態を説明したが、本開示は係る例に限定されないことは言うまでもない。当業者であれば、特許請求の範囲に記載された範疇内において、各種の変更例または修正例に想到し得ることは明らかであり、それらについても当然に本開示の技術的範囲に属するものと了解される。
【０３９３】
また、通信システムがＬＴＥ、ＬＴＥ−Ａ又はこれに準ずる通信規格に準拠したシステムである例を説明したが、本開示は係る例に限定されない。例えば、通信システムは、別の通信規格に準拠したシステムであってもよい。また、通信システムが基地局（又はアクセスポインと）の一例としてｅＮｏｄｅＢを含み、端末装置の一例としてＵＥを含む例を説明したが、本開示は係る例に限定されない。例えば、通信システムは、別の種類の基地局（又はアクセスポイント）及び／又は別の種類の端末装置を含んでもよい。
【０３９４】
また、本明細書の通信制御処理における処理ステップは、必ずしもフローチャートに記載された順序に沿って時系列に実行されなくてよい。例えば、通信制御処理における処理ステップは、フローチャートとして記載した順序と異なる順序で実行されても、並列的に実行されてもよい。
【０３９５】
また、本明細書の装置（例えば、通信制御装置及び／又は端末装置）に備えられるプロセッサ（例えば、ＣＰＵ、ＤＳＰなど）を上記装置の構成要素（例えば、情報取得部及び通信制御部など）として機能させるためのコンピュータプログラム（換言すると、上記プロセッサに上記装置の構成要素の動作を実行させるためのコンピュータプログラム）も作成可能である。また、当該コンピュータプログラムを記憶した記憶媒体も提供されてもよい。また、上記コンピュータプログラムを記憶するメモリと、上記コンピュータプログラムを実行可能な１つ以上のプロセッサとを備える装置（例えば、完成品、又は完成品のためのモジュール（部品、処理回路若しくはチップなど））も提供されてもよい。また、上記装置の構成要素（例えば、情報取得部及び通信制御部など）の動作を含む方法も、本開示に係る技術に含まれる。
【０３９６】
なお、以下のような構成も本開示の技術的範囲に属する。
（１）
事業者に割り当てられた周波数帯域のうちの所定帯域幅の帯域以外の拡張帯域における端末装置による測定の実行に関連する測定関連情報を取得する取得部と、
前記測定関連情報に基づいて、前記拡張帯域における端末装置による測定に関連する制御を行う制御部と、
を備える通信制御装置。
（２）
前記測定関連情報は、前記拡張帯域における端末装置による測定の実行の有無に関する情報であり、
端末装置による測定に関連する前記制御は、前記拡張帯域における端末装置による測定の実行の制御を含む、
前記（１）に記載の通信制御装置。
（３）
端末装置による測定の実行の前記制御は、前記拡張帯域において測定を行うこと又は測定を行わないことを、端末装置に指示することを含む、前記（２）に記載の通信制御装置。
（４）
端末装置による測定の実行の前記制御は、前記周波数帯域を通信に使用している端末装置が前記拡張帯域において測定を行わないように、前記拡張帯域において測定を行うこと、又は行わないことを、端末装置に指示することを含む、前記（３）に記載の通信制御装置。
（５）
前記取得部は、前記所定帯域幅の前記帯域における端末装置による測定の結果である第１の測定結果と、前記拡張帯域における端末装置による測定の結果である第２の測定結果とを、それぞれ取得する、前記（１）〜（４）のいずれか１項に記載の通信制御装置。
（６）
前記第１の測定結果は、前記所定帯域幅の前記帯域における第１の期間にわたる測定により得られる結果であり、
前記第２の測定結果は、前記拡張帯域における第２の期間にわたる測定により得られる結果であり、
前記第２の期間は、前記第１の期間よりも長い、
前記（５）に記載の通信制御装置。
（７）
前記第２の測定結果の報告が行われる条件は、前記第１の測定結果の報告が行われる条件とは異なる、前記（５）又は（６）に記載の通信制御装置。
（８）
前記第１の測定結果の報告は、１種類以上のイベントの各々によりトリガされる報告であり、
前記第２の測定結果の報告は、前記１種類以上のイベントに含まれない別の種類のイベントを含む少なくとも１種類のイベントの各々によりトリガされる報告である、
前記（７）に記載の通信制御装置。
（９）
前記別の種類のイベントは、前記第１の測定結果と前記第２の測定結果との関係が所定の条件を満たすことである、前記（８）に記載の通信制御装置。
（１０）
前記第１の測定結果の報告及び前記第２の測定結果の報告は、少なくとも１つの同じ種類のイベントによりトリガされる報告であり、
前記少なくとも１つの同じ種類のイベントのうちの一部又は全部は、前記第１の測定結果の報告のための第１の閾値と、前記第２の測定結果の報告のための第２の閾値とを有する、
前記（７）〜（９）のいずれか１項に記載の通信制御装置。
（１１）
前記第１の測定結果の報告は、第１の周期で行われる報告であり、
前記第２の測定結果の報告は、前記第１の周期と異なる第２の周期で行われる報告である、
前記（７）〜（１０）のいずれか１項に記載の通信制御装置。
（１２）
前記測定関連情報は、端末装置による測定に用いられる制御信号の送信に関する設定情報であり、
端末装置による測定に関連する前記制御は、前記拡張帯域における前記制御信号の送信の制御を含む、
前記（１）に記載の通信制御装置。
（１３）
前記制御信号の送信の前記制御は、前記拡張帯域において送信される前記制御信号の密度が、前記所定帯域幅の前記帯域において送信される前記制御信号の密度と異なるように、前記制御信号の送信を制御することを含む、前記（１２）に記載の通信制御装置。
（１４）
前記制御信号の送信の前記制御は、前記拡張帯域において送信される前記制御信号の密度が、前記所定帯域幅の前記帯域において送信される前記制御信号の密度よりも低くなるように、前記制御信号の送信を制御することを含む、前記（１３）に記載の通信制御装置。
（１５）
前記制御信号の送信の前記制御は、前記所定帯域幅の前記帯域において前記制御信号が送信されるアンテナポートの数よりも小さい数のアンテナポートで、前記拡張帯域において前記制御信号が送信されるように、前記制御信号の送信を制御することを含む、前記（１４）に記載の通信制御装置。
（１６）
前記制御信号の送信の前記制御は、前記拡張帯域において前記制御信号が送信されないように、前記制御信号の送信を制御することを含む、前記（１４）に記載の通信制御装置。
（１７）
事業者に割り当てられた周波数帯域のうちの所定帯域幅の帯域以外の拡張帯域における端末装置による測定の実行に関連する測定関連情報を取得することと、
前記測定関連情報に基づいて、前記拡張帯域における端末装置による測定に関連する制御を行うことと、
を含む通信制御方法。
（１８）
事業者に割り当てられた周波数帯域のうちの所定帯域幅の帯域以外の拡張帯域を認識する認識部と、
前記拡張帯域における測定の一部又は全部が行われないように、測定の実行を制御する制御部と、
を備える端末装置。
（１９）
前記制御部は、前記端末装置が無線リソースについてのアイドル状態にある場合に、前記拡張帯域における測定が行われないように、測定の実行を制御する、前記（１８）に記載の端末装置。
（２０）
所定のプログラムを記憶するメモリと、
前記所定のプログラムを実行可能なプロセッサと、
を備え、
前記所定のプログラムは、
事業者に割り当てられた周波数帯域のうちの所定帯域幅の帯域以外の拡張帯域を認識することと、
前記拡張帯域における測定の一部又は全部が行われないように、測定の実行を制御することと、
を実行させるためのプログラムである、
情報処理装置。
【符号の説明】
【０３９７】
１                        通信システム
１０                      セル
２０                      ＵＥ（User  Equipment）
１００                    ｅＮｏｄｅＢ
１５１、１６１、１７１    情報取得部
１５３、１６３、１７３    通信制御部
２００                    ＵＥ（User  Equipment）
２６１                    帯域認識部
２６５、２７１、２８３、２９３  測定制御部
２６７、２８５、２９５    報告部
【図１】
2014185185.tif 000003
【図２】
2014185185.tif 000004
【図３】
2014185185.tif 000005
【図４】
2014185185.tif 000006
【図５】
2014185185.tif 000007
【図６】
2014185185.tif 000008
【図７】
2014185185.tif 000009
【図８】
2014185185.tif 000010
【図９】
2014185185.tif 000011
【図１０】
2014185185.tif 000012
【図１１】
2014185185.tif 000013
【図１２】
2014185185.tif 000014
【図１３】
2014185185.tif 000015
【図１４】
2014185185.tif 000016
【図１５】
2014185185.tif 000017
【図１６】
2014185185.tif 000018
【図１７】
2014185185.tif 000019
【図１８】
2014185185.tif 000020
【図１９】
2014185185.tif 000021
【図２０】
2014185185.tif 000022
【図２１】
2014185185.tif 000023
【図２２】
2014185185.tif 000024
【図２３】
2014185185.tif 000025
【図２４】
2014185185.tif 000026
【図２５】
2014185185.tif 000027
【図２６】
2014185185.tif 000028
【図２７】
2014185185.tif 000029
【図２８】
2014185185.tif 000030
【図２９】
2014185185.tif 000031
【図３０】
2014185185.tif 000032
【図３１】
2014185185.tif 000033
【図３２】
2014185185.tif 000034
【図３３】
2014185185.tif 000035
【図３４】
2014185185.tif 000036
【図３５】
2014185185.tif 000037
【図３６】
2014185185.tif 000038
【図３７】
2014185185.tif 000039
【図３８】
2014185185.tif 000040
【国際調査報告】
2014185185.tif 000041
2014185185.tif 000042
2014185185.tif 000043
2014185185.tif 000044